(57)【要約】【課題】  把持部材を容易に取り付けることができ、風防としての機能を維持できるガンマイク用風防を提供する。【解決手段】  ガンマイクを覆う第１の被覆体であって長尺な形状を有しかつ音響透過材料を含む第１の被覆体と、第１の被覆体を覆う第２の被覆体であって長尺な形状を有しかつ連続気泡を有する弾性発泡体によって構成される第２の被覆体と、第２の被覆体と係合して第２の被覆体の所定の位置に保持される保持部と、を備え、音響透過材料は、繊維を含んで構成される原料を互いに交絡することによって得られる繊維材料を含む。【選択図】  図１
2017169213.tif 000002
【特許請求の範囲】
【請求項１】
ガンマイクを覆う第１の被覆体であって長尺な形状を有しかつ音響透過材料を含む第１の被覆体と、
前記第１の被覆体を覆う第２の被覆体であって長尺な形状を有しかつ連続気泡を有する弾性発泡体によって構成される第２の被覆体と、
前記第２の被覆体と係合して前記第２の被覆体の所定の位置に保持される保持部と、を備え、
前記音響透過材料は、繊維を含んで構成される原料を互いに交絡することによって得られる繊維材料を含むガンマイク用風防。
【請求項２】
前記保持部は、前記第２の被覆体の表面で係合する表面係合部を有する請求項１に記載のガンマイク用風防。
【請求項３】
前記保持部は、前記第２の被覆体を周回して係合する周回係合部を有する請求項１に記載のガンマイク用風防。
【請求項４】
長尺な形状を有し前記ガンマイクを透音可能に保持するマイク保持体であって、前記第１の被覆体に収容されかつ前記第１の被覆体から離隔した位置で前記ガンマイクを保持するマイク保持体をさらに備え、
前記第１の被覆体は、前記マイク保持体が収容される収容部を有する請求項１に記載のガンマイク用風防。
【請求項５】
前記マイク保持体は、前記ガンマイクとの接触で弾性変形可能な保持部材を有する請求項４に記載のガンマイク用風防。
【請求項６】
前記ガンマイクを保持可能な第３の被覆体であって、長尺な形状を有しかつ音響透過材料を含み、前記第１の被覆体に収容されかつ前記第１の被覆体から離隔した位置で保持される第３の被覆体をさらに備える請求項１に記載のガンマイク用風防。
【請求項７】
前記第３の被覆体を保持する保持部材であって、前記第１の被覆体と前記第３の被覆体との間に配置され、連続気泡を有する弾性発泡体によって構成される保持部材をさらに備える請求項６に記載のガンマイク用風防。
【発明の詳細な説明】
【技術分野】
【０００１】
指向性を有するガンマイクに用いる風防に関する。
【背景技術】
【０００２】
離れた距離から収音するときに、いわゆるガンマイク（ショットガンマイク）を用いることが多い。ガンマイクは、鋭い指向性を有し、周囲の音を打ち消すようにして、ガンマイクを向けた先の音を収音することができるマイクロホンである。【０００３】
一般に、ガンマイクは、細長い長尺な円柱状の形状の干渉管を有する。ガンマイクの側面に位置する音源から発せられた音を干渉管の内側で干渉して打ち消すことで、ガンマイクを向けた先の音を主に収音することができる。【０００４】
上述したように、ガンマイクは長尺な形状の干渉管を有する。このため、ガンマイクを使って風切音などの風雑音が収音されるような場合には、干渉管を含むガンマイクの全体を風防で覆う必要がある。【０００５】
従来の風防の一つとして、略円筒状のスポンジの内径側に繊維を植毛した風防がある。この風防は、植毛した繊維によって、長尺な形状を有するマクロホンから抜けにくくしようとしたものであった（例えば、特許文献１参照）。【０００６】
また、ケージ状のフレームを有する風防もある。ケージ状のフレームによって長尺な形状を有するマイクロホンとの間に空間を形成するとともに、風防をフレームで支持するものであった（例えば、特許文献２参照）。【０００７】
このようなスポンジ状の風防やケージ状のフレームの風防は、風雑音そのもの低減を目的としたものであった。このため、マイクロホンに衝撃などが加えられた場合には、衝撃によって振動板が振動し雑音として収音されてしまい、十分に対応できるものではなかった。【０００８】
衝撃などに対応するために、サスペンションを介してマクロホンを保持する装置もあった（例えば、特許文献３参照）。この装置は、サスペンションによって衝撃を緩和してマクロホンに伝わりにくくするものであった。
【先行技術文献】
【特許文献】
【０００９】
【特許文献１】特開２００６−６０４７９号公報
【特許文献２】特開２０１２−１７５３７９号公報
【特許文献３】英国特許出願公開第２５２９０６９号明細書
【発明の概要】
【発明が解決しようとする課題】
【００１０】
上述したように、サスペンションを備えない風防は、衝撃が加えられたときに十分に衝撃を緩和することができなかった。また、サスペンションを備えるような風防は、風防を挟んでサスペンションを取り付けるものであった。このため、取り外しが煩雑になるとともに、風防の外側だけでなく風防の内側にもサスペンションの一部の機構を設ける必要があり、風防の内側の容積が小さくなったり空気が十分に移動できなかったりし、風防としての機能が低下せざるを得なった。【００１１】
本発明は、上述の点に鑑みてなされたものであり、その目的とするところは、把持部材を容易に取り付けることができ、風防としての機能を維持できるガンマイク用風防を提供することにある。
【課題を解決するための手段】
【００１２】
本発明によるガンマイク用風防の実施態様は、
ガンマイク（例えば、後述するガンマイク３００など）を覆う第１の被覆体であって長尺な形状を有しかつ音響透過材料を含む第１の被覆体（例えば、後述する第１の音響透過体１６０など）と、
前記第１の被覆体を覆う第２の被覆体であって長尺な形状を有しかつ連続気泡を有する弾性発泡体によって構成される第２の被覆体（例えば、後述する外側包囲体１１０など）と、
前記第２の被覆体と係合して前記第２の被覆体の所定の位置に保持される保持部（例えば、後述する防振保持部１２０など）と、を備え、
前記音響透過材料は、繊維を含んで構成される原料を互いに交絡することによって得られることである。【００１３】
第２の被覆体は、ガンマイクを覆うための第１の被覆体を覆う。第２の被覆体は、連続気泡を有する弾性発泡体によって構成される。第２の被覆体は、防振構造を構成し、保持部に衝撃が加えられた場合でも、第２の被覆体によって衝撃が吸収され、ガンマイクに雑音として収音されることを防止できる。【００１４】
また、保持部を第２の被覆体と係合させて取り付けるように構成することで、保持部を第２の被覆体に容易に取り付けることができる。
【発明の効果】
【００１５】
把持部材を容易に取り付けることができ、風防としての機能を維持できる。
【図面の簡単な説明】
【００１６】
【図１】本実施の形態によるガンマイク用風防１００の概要を示す側面図（図１Ａ）と、断面図（図１Ｂ及び図１Ｃ）である。
【図２】ガンマイク用風防１００の全体を示す側面図である。
【図３】ガンマイク用風防１００の外側包囲体１１０と防振保持部１２０とを示す分解斜視図である。
【図４】ガンマイク用風防１００を構成する外側包囲体１１０と第１の音響透過体１６０とマイク保持部１４０とガンマイク３００とを示す斜視図である。
【図５】円筒部１１４の第２の端部１１６ｂとマイク保持部１４０とガンマイク３００とを示す拡大斜視図である。
【図６】ガンマイク用風防１００の構成を周方向で切断して示す断面図である。
【図７】マイク保持部１４０の構造を示す斜視図である。
【図８】マイク保持部１４０にガンマイク３００を取り付けた状態を示す斜視図である。
【図９】第１の空間ＳＰ１０及び第２の空間ＳＰ２０で、長手方向に流動する空気の流れを示す断面図（図９Ａ）と、周方向に流動する空気の流れを示す断面図（図９Ｂ）とである。
【図１０】第２の実施の形態におけるガンマイク用風防２００の構成を示す斜視図である。
【図１１】第２の実施の形態における第１の音響透過体１６０と第２の音響透過体２６０とを示す斜視図である。
【図１２】第２の実施の形態における第１の音響透過体１６０と第２の音響透過体２６０との間に設けられる弾性保持体２４０を示す斜視図である。
【図１３】第３の空間ＳＰ３０及び第２の空間ＳＰ２０で、長手方向に流動する空気の流れを示す断面図（図１３Ａ）と、周方向に流動する空気の流れを示す断面図（図１３Ｂ）とである。
【図１４】第３の実施の形態におけるガンマイク用風防１００に構成を示す斜視図である。
【図１５】第３の実施の形態における第１の音響透過体１６０とガンマイク３００とを示す斜視図である。
【図１６】第３の実施の形態における第１の音響透過体１６０とガンマイク３００との間に設けられる弾性保持体２７０を示す斜視図である。
【図１７】第３の実施の形態における第１の空間ＳＰ１０及び第２の空間ＳＰ２０で、長手方向に流動する空気の流れを示す断面図（図１７Ａ）と、周方向に流動する空気の流れを示す断面図（図１７Ｂ）である。
【図１８】変更例２におけるガンマイク用風防１００の外側包囲体１１０と防振保持部１２０とシート状風防包囲体１８０とを示す分解斜視図である。
【図１９】変更例２におけるガンマイク用風防１００の全体を示す側面図である。
【発明を実施するための形態】
【００１７】
以下に、実施の形態について図面に基づいて説明する。
【００１８】
＜第１の実施態様＞
図１Ａ〜図１Ｃに示すように、本発明の第１の実施態様によれば、
ガンマイク３０（例えば、後述するガンマイク３００など）を覆う第１の被覆体１６であって長尺な形状を有しかつ音響透過材料を含む第１の被覆体１６（例えば、後述する第１の音響透過体１６０など）と、
前記第１の被覆体１６を覆う第２の被覆体１１であって長尺な形状を有しかつ連続気泡を有する弾性発泡体によって構成される第２の被覆体１１（例えば、後述する外側包囲体１１０など）と、
前記第２の被覆体１１と係合して前記第２の被覆体１１の所定の位置に保持される保持部１２（例えば、後述する防振保持部１２０など）と、を備え、
前記音響透過材料は、繊維を含んで構成される原料を互いに交絡することによって得られる繊維材料を含むガンマイク用風防１０又は２０が提供される。
【００１９】
＜ガンマイク用風防１０及び２０並びにガンマイク３０＞
ガンマイク用風防１０及び２０は、ガンマイク３０を覆うための風防である。ガンマイク３０は、指向性を有し、音源から発せられた音を収音するためのマイクロホンである。ガンマイク３０は、干渉管などを有し、一般的に長尺な形状を有する。ガンマイク用風防１０及び２０は、第１の被覆体１６と第２の被覆体１１と保持部１２と、を備える。
【００２０】
＜音響透過材料＞
第１の被覆体１６は、音響透過材料を含む。音響透過材料は繊維材料を含む。繊維材料は、繊維を含んで構成される原料を互いに交絡することによって得られる。音響透過材料は、接触した空気の一部を妨げるとともに残りを通過させる。音響透過材料によって風切音などの風雑音を遮断することができる。風雑音を的確に遮断して、音源から発せられた音を的確に収音できるように、音響透過材料の材料や材質を定めればよい。また、音響透過材料は、湿気などの水分の影響を受けにくく、水分などによって音響特性の経年変化を生じさせないようにできる。
【００２１】
＜第１の被覆体１６＞
第１の被覆体１６は、ガンマイク３０を覆う。ガンマイク３０は、一般的に長尺な形状を有し、干渉用の開口が長手方向に沿って形成されている。第１の被覆体１６は、干渉用の開口の少なくとも一部と被さるようにガンマイク３０を覆えばよい。第１の被覆体１６が干渉用の開口の全体と被さるようにガンマイク３０を覆うのが好ましい。第１の被覆体１６の形状は、長尺な形状を有するガンマイク３０の形状に応じて定めることができる。
【００２２】
第１の被覆体１６の長手方向の長さが、ガンマイク３０の長手方向の長さよりも長いものが好ましい。ガンマイク３０の音源方向の前方に空気層を確保することができ、風雑音を確実に低減することができる。例えば、第１の被覆体１６の長手方向の長さとして、ガンマイク３０の長手方向の長さにガンマイク３０の直径以上の長さを加えたものにするのが好ましい。第１の被覆体１６は、ガンマイク３０に接続されるケーブルなどを除き、ガンマイク３０の全体を収納するようにガンマイク３０を覆うのがより好ましい。さらに、第１の被覆体１６は、ガンマイク３０と同心状（同軸状）に配置されてガンマイク３０の全体を覆うのが望ましい。特に、風雑音の固体伝搬成分の遮断や低減まで意図した高性能風防の場合には、僅かな空隙も生じないよう構成することが必要である。
【００２３】
第１の被覆体１６は、略円筒状の形状を有するのが望ましい。さらに、第１の被覆体１６は、略円筒状の形状だけでなく、角筒状や楕円筒状などの各種の筒状の形状にすることができる。第１の被覆体１６の形状は、長尺な形状を有するガンマイク３０の形状に応じて定めることができる。
【００２４】
図１Ｂに示すように、第１の被覆体１６は、ガンマイク３０から離隔した位置に配置される。第１の被覆体１６とガンマイク３０との間の間隙によって第１の空間ＳＰ１が形成される。第１の被覆体１６とガンマイク３０との間隔ＤＴ１は一定でなくてよい。第１の被覆体１６とガンマイク３０との間に第１の空間ＳＰ１を形成し、第１の空間ＳＰ１で空気を移動させることで、風雑音を遮断できればよい。第１の被覆体１６をガンマイク３０と同心状（同軸状）に配置することで間隔ＤＴ１を一定にすることができる。第１の被覆体１６とガンマイク３０との間隔ＤＴ１を一定にすることで第１の空間ＳＰ１に入り込んだ空気を第１の空間ＳＰ１内に均等に分散させることができる。
【００２５】
＜第２の被覆体１１＞
第２の被覆体１１は、第１の被覆体１６を覆う。第２の被覆体１１は、長尺な形状を有する。第２の被覆体１１は、第１の被覆体１６の全体を覆うのが好ましい。
【００２６】
第２の被覆体１１は、連続気泡を有する弾性発泡体によって構成される。弾性発泡体は連続気泡を有する。弾性発泡体は、連続気泡によって空気の流れの向きを制御したり、連続気泡との衝突により空気の流れを妨げて徐々に減速したりできる。このように、弾性発泡体は、第２の被覆体１１に入り込んだ空気の向きや速度を抑制することができる。
【００２７】
第２の被覆体１１によって第２の空間ＳＰ２が形成される。第２の被覆体１１は、第２の空間ＳＰ２における空気の流れを制御する。
【００２８】
第２の被覆体１１は、弾性発泡体により形成されており、あらゆる箇所で弾性変形できる。このため、外部から衝撃などが加えられた場合や固体音として風雑音が伝搬した場合でも、弾性的に変形と復元とを繰り返すことで、衝撃を徐々に吸収したり低減したりすることができる。第２の被覆体１１の弾性発泡体により、防振構造が構成される。第２の被覆体１１の防振構造により、外部から加えられた衝撃などを吸収し、ガンマイク３００に衝撃を伝わりにくくして雑音として収音されることを防止できる。なお、第２の被覆体１１の弾性係数などは、第２の被覆体１１の素材や厚みや、保持部１２との接触面積などに応じて適宜に定めればよいが、例えば、音声帯域（２０Ｈｚ−２０ｋＨｚ）で防振効果を得るには、当該バネ−マス系の共振周波数ｆ０が１０Ｈｚ以下になるように定めればよい。
【００２９】
さらに、第２の被覆体１１は、連続気泡を有するスポンジ状の弾性発泡体により形成され、例えば、多孔性を有する。弾性発泡体により形成したことで、第２の被覆体１１の表面を、後述する保持部１２と掛合させやすくでき（引っ掛かりやすく）、第２の被覆体１１を保持部１２に係合させやすくできる。第２の被覆体１１の表面の形態は、保持部１２が第２の被覆体１１に係合して、第２の被覆体１１から外れにくくできるものであればよい。
【００３０】
＜保持部１２＞
保持部１２は、第２の被覆体１１と係合することで、第２の被覆体１１の所定の位置に保持される。例えば、第２の被覆体１１の表面に凹凸が形成されている場合には、掛合しやすくなり、保持部１２が第２の被覆体１１からはずれることを防止できる。さらに、保持部１２に、ボルトとナットとによる調整機構などを加えて、有効径を最適な係合状態に調整できるようにしてもよい。
【００３１】
保持部１２は、使用者の手で支持されることができ、使用時に、保持部１２に衝撃が加えられる場合もある。上述したように、第２の被覆体１１は、防振構造を構成しており、保持部１２に衝撃が加えられた場合でも、第２の被覆体１１によって衝撃が吸収され、ガンマイク３０に雑音として収音されることを防止できる。
【００３２】
保持部１２を第２の被覆体１１と係合させて取り付けるように構成することで、保持部１２を第２の被覆体１１に容易に取り付けることができる。
【００３３】
＜第１の空間ＳＰ１及び第２の空間ＳＰ２＞
第２の空間ＳＰ２では、第２の被覆体１１の表面を通過した空気は、第２の空間ＳＰ２に入り込む。第２の空間ＳＰ２に入り込んだ空気は、弾性発泡体に進入する。弾性発泡体は連続気泡を有し、弾性発泡体に進入した空気は連続気泡に沿って移動する。弾性発泡体によって空気の流れの向きを制御することができる。連続気泡との衝突により空気の流れを妨げて徐々に減速させることができる。このように、弾性発泡体は、空気の速度を抑制することができる。
【００３４】
さらに、第２の空間ＳＰ２に入り込んだ空気は、第１の被覆体１６との接触によって徐々に減速し、空気の勢いを抑えることができる。
【００３５】
第２の空間ＳＰ２（弾性発泡体）は、入り込んだ空気を徐々に減速するための緩衝領域として機能する。したがって、空気は、第１の被覆体１６を通過しにくくなっている。しかしながら、ガンマイク３０が使用される環境によっては、空気が第１の被覆体１６を通過する場合も想定される。空気が第１の被覆体１６を通過した場合には、第１の空間ＳＰ１にも入り込む。
【００３６】
＜第１の空間ＳＰ１＞
第１の空間ＳＰ１では、長手流路と周回流路とが形成される。長手流路は、第１の空間ＳＰ１に流入した空気が第１の空間ＳＰ１の長手方向に沿って移動する経路である。第１の空間ＳＰ１は、長尺な形状を有し、長手方向への空気の移動を容易にするための領域として機能する。空気を長手方向に移動させることで、徐々に減速させることができ、ガンマイク３０に風切音などの風雑音が収音されることを防止できる。
【００３７】
周回流路は、第１の空間ＳＰ１に流入した空気がガンマイク３０を周回する方向に沿って移動する経路である。周回方向への空気の移動を容易にするための領域として機能する。空気を周回方向に移動させることで、徐々に減速させることができる。
【００３８】
ガンマイク用風防１０は、第１の空間ＳＰ１及び第２の空間ＳＰ２の形成により、風防として機能する。さらに、このような構成とすることにより、第２の被覆体１１を防風層として機能させると同時に、防振システムとしても機能させることができる。
【００３９】
＜第２の実施態様＞
本発明の第２の実施態様は、本発明の第１の実施態様において、
前記保持部１２は、前記第２の被覆体１１の表面で係合する表面係合部（例えば、後述する環状部材１２４など）を有する。
【００４０】
上述したように、第２の被覆体１１は、連続気泡を有するスポンジ状の弾性発泡体により形成され、例えば、多孔性を有する。第２の被覆体１１の表面は、凹凸が形成されたものが好ましい。表面の凹凸により保持部１２と掛合しやすくなり、第２の被覆体１１を保持部１２に係合させやすくできる。
【００４１】
＜第３の実施態様＞
本発明の第３の実施態様は、本発明の第１の実施態様において、
前記保持部１２は、前記第２の被覆体１１を周回して係合する周回係合部（例えば、後述する環状部材１２４など）を有する。
【００４２】
第２の被覆体１１を周回して係合する周回係合部を有するので、第２の被覆体１１との接触面積を大きくできるとともに、全周に亘って第２の被覆体１１と接触させることができ、第２の被覆体１１が周方向に変位（回転）した場合でも、保持部１２との掛合状態を維持でき、保持部１２が第２の被覆体１１から外れにくくできる。
【００４３】
＜第４の実施態様＞
図１Ｂに示すように、本発明の第４の実施態様は、本発明の第１の実施態様において、
長尺な形状を有し前記ガンマイク３０を透音可能に保持するマイク保持体１４であって、前記第１の被覆体１６に収容されかつ前記第１の被覆体１６から離隔した位置で前記ガンマイク３０を保持するマイク保持体１４（例えば、後述するマイク保持部１４０など）をさらに備え、
前記第１の被覆体は、前記マイク保持体が収容される収容部（例えば、後述する第１の音響透過体１６０の内側など）を有する。
【００４４】
マイク保持体１４によって、ガンマイク３０を第１の被覆体１６から離隔した位置に保持するので、第１の被覆体１６とガンマイク３０との間に第１の空間ＳＰ１を一定に形成することができる。第１の空間ＳＰ１を形成することで、長手流路及び周回流路を安定的に形成し、第１の空間ＳＰ１に入り込んだ空気を第１の空間ＳＰ１内で分散させて徐々に減速させることができる。
【００４５】
＜第５の実施態様＞
図１Ｂに示すように、本発明の第５の実施態様は、本発明の第４の実施態様において、
前記マイク保持体１４は、前記ガンマイクとの接触で弾性変形可能な保持部材１８（例えば、後述する保持部材１５８など）を有する。
【００４６】
保持部材１８は、ガンマイクとの接触で弾性変形できるので、外部から衝撃が加えられた場合でも、保持部材１８によって衝撃を吸収でき、ガンマイク３０に衝撃を伝わりにくくし雑音として収音されることを防止できる。上述した第２の被覆体１１の防振構造により、まず、衝撃を吸収し、さらに、保持部材１８により衝撃を吸収することができる。このように、衝撃を二段階で緩和することができる。
【００４７】
＜第６の実施態様＞
図１Ｃに示すように、本発明の第６の実施態様は、本発明の第１の実施態様において、
前記ガンマイク３０を保持可能な第３の被覆体２６（例えば、後述する第２の音響透過体２６０など）であって、長尺な形状を有しかつ音響透過材料を含み、前記第１の被覆体１６に収容されかつ前記第１の被覆体１６から離隔した位置で保持される第３の被覆体２６（例えば、後述する第２の音響透過体２６０など）をさらに備える。
【００４８】
第３の被覆体２６は長尺な形状を有する。第３の被覆体２６は音響透過材料を含む。第３の被覆体２６によって、風切音などの風雑音をさらに遮断することができる。
【００４９】
また、第３の被覆体２６にガンマイク３０を保持することができる。ガンマイク３０を保持するための部材を用いることなく、ガンマイク３０を保持でき、ガンマイク用風防２０の構成を簡素にできる。特に、ガンマイク３０を着脱可能に保持できるようにすることで、ガンマイク３０の着脱作業を簡便にすることができる。
【００５０】
第３の被覆体２６は、第１の被覆体１６から離隔した位置で保持される。第２の空間ＳＰ２とは別個に、第１の被覆体１６と第３の被覆体２６との間に、第３の空間ＳＰ３が形成される。第２の空間ＳＰ２は上述したように機能する。ガンマイク３０が使用される環境によっては、空気が第１の被覆体１６を通過する場合も想定される。空気が第１の被覆体１６を通過した場合には、第３の空間ＳＰ３にも入り込む。
【００５１】
第３の空間ＳＰ３では、長手流路と周回流路とが形成される。長手流路は、第３の空間ＳＰ３に流入した空気が第３の空間ＳＰ３の長手方向に沿って移動する経路である。第３の空間ＳＰ３は、長尺な形状を有し、長手方向への空気の移動を容易にするための領域として機能する。空気を長手方向に移動させることで、徐々に減速させることができ、ガンマイク３０に風切音などの風雑音が収音されることを防止できる。
【００５２】
周回流路は、第３の空間ＳＰ３に流入した空気が第３の被覆体２６を周回する方向に沿って移動する経路である。周回方向への空気の移動を容易にするための領域として機能する。空気を周回方向に移動させることで、徐々に減速させることができる。
【００５３】
第３の被覆体２６によって第３の空間ＳＰ３を形成することができ、風雑音の遮断性をさらに高めることができる。さらに、第３の被覆体２６によってガンマイク３０を容易に取り付けて保持することができる。
【００５４】
＜第７の実施態様＞
図１Ｃに示すように、本発明の第７の実施態様は、本発明の第６の実施態様において、
前記第３の被覆体２６を保持する保持部材２４であって、前記第１の被覆体１６と前記第３の被覆体２６との間に配置され、連続気泡を有する弾性発泡体によって構成される保持部材２４（例えば、後述する弾性保持体２４０など）をさらに備える。
【００５５】
保持部材２４によって、第３の被覆体２６を第１の被覆体１６から離隔した位置に保持するので、第１の被覆体１６と第３の被覆体２６との間に第３の空間ＳＰ３を一定に形成することができる。第３の空間ＳＰ３を形成することで、長手流路及び周回流路を安定的に形成し、第３の空間ＳＰ３に入り込んだ空気を第３の空間ＳＰ３に分散させて徐々に的確に減速させることができる。
【００５６】
また、保持部材２４は、連続気泡を有する弾性発泡体によって構成され弾性変形できる。このため、外部から衝撃が加えられた場合でも、保持部材２４によって衝撃を吸収でき、ガンマイク３０に衝撃を伝わりにくくし雑音として収音されることを防止できる。上述した第２の被覆体１１の防振構造により、まず、衝撃や固体音を吸収し、さらに、保持部材２４により、これらを吸収することができる。このように、衝撃や風雑音を二段階で緩和することができる。
【００５７】
＜＜＜＜第１の実施の形態＞＞＞＞
図２は、ガンマイク用風防１００の全体を示す側面図である。図３は、ガンマイク用風防１００の外側包囲体１１０と防振保持部１２０とを示す分解斜視図である。図４は、ガンマイク用風防１００を構成する外側包囲体１１０と第１の音響透過体１６０とマイク保持部１４０とガンマイク３００とを示す斜視図である。図５は、円筒部１１４の第２の端部１１６ｂとマイク保持部１４０とガンマイク３００とを示す拡大斜視図である。図６は、ガンマイク用風防１００の構成を周方向で切断して示す断面図である。図７は、マイク保持部１４０の構造を示す斜視図である。図８は、マイク保持部１４０にガンマイク３００を取り付けた状態を示す斜視図である。図９は、第１の空間ＳＰ１０及び第２の空間ＳＰ２０で、長手方向に流動する空気の流れを示す断面図（図９Ａ）と、周方向に流動する空気の流れを示す断面図（図９Ｂ）とである。
【００５８】
＜＜＜ガンマイク用風防１００＞＞＞
本実施の形態によるガンマイク用風防１００は、いわゆるガンマイク３００に用いられる風防である。ガンマイク３００は、鋭い指向性を有し、周囲の音を打ち消して、ガンマイク３００を向けた先の音を収音することができるマイクロホンである。
【００５９】
＜＜ガンマイク（ショットガンマイク）３００＞＞
図４に示すように、ガンマイク３００は、略円柱状で細長い長尺な外形を有する。ガンマイク３００は、主に、マイクロホン本体３１０と干渉管３２０とを有する。
【００６０】
干渉管３２０は、細長い長尺な略円筒状の形状を有する。干渉管３２０は、長手方向に沿って第１の端部３３０と第２の端部３４０とを有する。第１の端部３３０には開口部３３２が形成されている。収音の対象となる音源に開口部３３２を向けることで、開口部３３２を介して、音源から発せられた音を干渉管の内部に伝えることができる。
【００６１】
干渉管３２０の第２の端部３４０には、振動板を有するマイクロホン本体３１０が接続されている。振動板は、干渉管３２０の内部を伝播してきた音を受けて振動する。マイクロホン本体３１０は、振動板の振動を電気信号に変換して音声信号として出力する。
【００６２】
さらに、干渉管３２０の側面には複数のスリット３５０が形成されている。ガンマイク３００（干渉管３２０）の側方に位置する音源から発せされた音は、複数のスリット３５０を通過して干渉管３２０の内側に入り込む。複数のスリット３５０を通過してきた音は、干渉管の内側で干渉して打ち消しあう。ガンマイク３００の側方の音源から発せられる音は、収音の対象でない。複数のスリット３５０を通過した音を干渉管の内側で打ち消しあうことでマイクロホン本体３１０に到達しないようにできる。このように、ガンマイク３００は、干渉管３２０を備えることで指向性を高めて収音することができる。
【００６３】
屋外などでガンマイクを使用した場合には、風などの空気の流れが、ガンマイク３００の開口部３３２だけでなく干渉管３２０にも触れやすくなり、側方からの風の影響を受けやすい点がガンマイク３００の共通的な傾向である。上述したように、複数のスリット３５０が干渉管３２０の側面に形成されており、風などの流動する空気が複数のスリット３５０を介して干渉管３２０の内側に入り込みやすい。干渉管３２０の内側に空気が流入した場合には、空気の流動によってマイクロホン本体３１０の振動板を振動させやすくなり、いわゆる風雑音が発生する原因となる。このため、ガンマイク用風防１００は、干渉管３２０を含むガンマイク３００の全体を覆うようにする必要がある。
【００６４】
＜＜ガンマイク用風防１００の主な構成＞＞
図２〜図４に示すように、ガンマイク用風防１００は、主に、外側包囲体１１０と、防振保持部１２０と、第１の音響透過体１６０と、マイク保持部１４０と、終端蓋体１７０とを有する。図４に示すように、外側包囲体１１０と第１の音響透過体１６０とマイク保持部１４０とは、いずれも長尺な形状を有し、略同心状（略同軸状）に配置される。
【００６５】
＜＜外側包囲体１１０＞＞
＜先端部１１２及び円筒部１１４＞
図２及び図３に示すように、外側包囲体１１０は、先端部１１２と円筒部１１４とを有する。先端部１１２は、略半球状の形状を有する。円筒部１１４は、長尺な円筒状の形状を有する。先端部１１２及び円筒部１１４は、後述するように、連続気泡を有する弾性発泡体により形成され、音響透過性を有し外部からの音を通過させることができる。
【００６６】
また、弾性発泡体により形成されていることから、外側包囲体１１０のあらゆる箇所で弾性変形することができる。このため、外部から衝撃などが加えられた場合でも、弾性的に変形と復元とを繰り返すことで、衝撃を徐々に吸収することができる。外側包囲体１１０によって防振構造を構成することができる。外側包囲体１１０の防振構造により、外部から加えられた衝撃などを吸収し、ガンマイク３００に伝わりにくくし雑音として収音されることを防止できる。
【００６７】
円筒部１１４の半径は、第１の音響透過体１６０の半径よりも若干長い。また、円筒部１１４の長手方向の長さは、第１の音響透過体１６０やマイク保持部１４０の長手方向の長さよりも若干長い。
【００６８】
＜第１の端部１１６ａ及び第２の端部１１６ｂ＞
円筒部１１４は、長手方向に沿って第１の端部１１６ａと第２の端部１１６ｂとを有する。先端部１１２は、円筒部１１４の第１の端部１１６ａに、接着や溶着などによって固定的に取り付けられている。第２の端部１１６ｂは、略円形状の開口が形成されている。
【００６９】
＜空洞１１８＞
図５Ａ及び図５Ｂに示すように、円筒部１１４の内部には、長手方向に沿って長尺な空洞１１８が形成されている。第２の端部１１６ｂの開口から、第１の音響透過体１６０を空洞１１８に挿入することができる。空洞１１８の半径を第１の音響透過体１６０の半径よりも若干小さくすることで、円筒部１１４を少し弾性変形させた状態で、第１の音響透過体１６０を空洞１１８内に挿入できる。円筒部１１４（外側包囲体１１０）の弾性変形によって生ずる付勢力により、第１の音響透過体１６０を空洞１１８の一定の位置に保持することができる。このように、弾性発泡体で形成された外側包囲体１１０を用いることにより、固定部材などの部材を用いることなく、第１の音響透過体１６０を外側包囲体１１０の内部の一定の位置に保持することができる。
【００７０】
さらに、第１の音響透過体１６０にはマイク保持部１４０を収納することができ、このため、外側包囲体１１０の円筒部１１４には、第１の音響透過体１６０とマイク保持部１４０とを収納することができる。このようにして、第１の音響透過体１６０やマイク保持部１４０の全体を外側包囲体１１０によって覆うことができる。
【００７１】
＜外側包囲体１１０の材料＞
外側包囲体１１０は、一般に、ポリウレタン等の合成樹脂を発泡成形して作られ、連続気泡を有するスポンジ状の弾性発泡体により形成される。なお、例えば、外側包囲体１１０として、ポリエステル及び綿からなる繊維を用いることができる。
【００７２】
本実施の形態では、外側包囲体１１０は弾性発泡体のみで形成され、弾性発泡体の形状によって外側包囲体１１０の外形が画定される。外側包囲体１１０は、弾性発泡体によって形成されており、弾力性を有し弾性変形することができる。
【００７３】
＜第１の空間ＳＰ１０及び第２の空間ＳＰ２０の関係＞
図６に示すように、外側包囲体１１０の円筒部１１４は、半径方向に所定の厚みＴ１を有する。厚みＴ１の部分は、弾性発泡体のみで形成されている。また、円筒部１１４の内部には長尺な空洞１１８が形成されている。
【００７４】
図６、図９Ａ及び図９Ｂに示すように、ガンマイク用風防１００は、ガンマイク用風防１００に進入した空気を処理するための第１の空間ＳＰ１０及び第２の空間ＳＰ２０を有する。第１の音響透過体１６０とガンマイク３００との間の間隙が第１の空間ＳＰ１０に対応し、円筒部１１４が第２の空間ＳＰ２０に対応し、厚みＴ１によって第２の空間ＳＰ２０が画定される。第１の空間ＳＰ１０及び第２の空間ＳＰ２０の機能については後述する。
【００７５】
＜＜防振保持部１２０＞＞
＜防振保持部１２０＞
図２及び図３に示すように、ガンマイク用風防１００は防振保持部１２０を有する。防振保持部１２０は、保持体１２２と把持部１３０と有する。
【００７６】
＜保持体１２２＞
保持体１２２は複数の環状部材１２４からなる。環状部材１２４は、おおよそ円形の形状を有し、外側包囲体１１０の円筒部１１４に挿嵌される。
【００７７】
円筒部１１４（外側包囲体１１０）は、連続気泡を有するスポンジ状の弾性発泡体により形成され、円筒部１１４は多孔性を有する。このため、円筒部１１４の表面は、目が粗く、環状部材１２４は円筒部１１４の表面に掛合しやすく（引っ掛かりやすく）、環状部材１２４を円筒部１１４に係止させやすくできる。
【００７８】
円筒部１１４は長尺な形状を有しており、環状部材１２４が、円筒部１１４を滑って移動するような場合でも、円筒部１１４から外れなければよい。例えば、環状部材１２４を円筒部１１４の中間の位置に設けるのが好ましい。
【００７９】
環状部材１２４は、円筒部１１４の表面と掛合しやすいものがよい。例えば、円筒部１１４の表面と接する箇所の環状部材１２４の粗さが、円筒部１１４の材料や目の粗さに応じて適宜に定めたものが好ましい。このように定めることで、環状部材１２４を円筒部１１４の表面と掛合させやくしつつ、掛合により円筒部１１４が破損しないようにできる。
【００８０】
また、環状部材１２４の半径は、円筒部１１４の半径よりも若干小さい。このため、環状部材１２４が円筒部１１４に挿嵌されたときには、円筒部１１４は、環状部材１２４によって押圧されて弾性変形する。環状部材１２４は、円筒部１１４の弾性変形によって生ずる付勢力により円筒部１１４に係止される。さらに、環状部材１２４に、ボルトとナットとによる調整機構などを加えて、有効径を最適な係合状態に調整できるようにしてもよい。
【００８１】
なお、環状部材１２４によって円筒部１１４を極端に弾性変形させないのが好ましい。円筒部１１４の体積を確保して、第２の空間ＳＰ２０を維持することで、空気の流れを減衰させることができる。
【００８２】
このように、円筒部１１４の表面の粗さによる掛合だけでなく、円筒部１１４の弾性変形によって生ずる付勢力も用いることで、環状部材１２４を円筒部１１４にさらに係止させることができる。
【００８３】
また、環状部材１２４として、円形の形状を有する場合を示したが、他の形状でもよい。たとえば、環状部材としてベルト（帯状）の形状にして円筒部１１４を周回させるようにできる。円筒部１１４との接触面積を大きくすることで、環状部材１２４を円筒部１１４にさらに係止させやすくできる。
【００８４】
さらに、円筒部１１４に向かって突出する突出部を設けたりすることができる。例えば、円筒部１１４に向かうように爪状の突起を設けたりすることができる。環状部材を円筒部１１４により係止させやすくできる。
【００８５】
このように、円筒部１１４との接触面積が大きくなるようにしたり、円筒部１１４と係合しやすい突起などを設けたりすることで、環状部材１２４を円筒部１１４に係止させやすくできる。
【００８６】
環状部材１２４を円筒部１１４に係止させるようにしたことで、外側包囲体１１０を加工したり変形したりすることなく、また、外側包囲体１１０の音響特性を変更することなく、保持体１２２を外側包囲体１１０に取り付けることができる。また、着脱可能に構成しているので、持ち運びを容易にするとともに取り扱いを簡便にできる。
【００８７】
ガンマイク３０に接続されている内部用のケーブル（図示せず）を外部に接続するためのコネクタ（図示せず）を防振保持部１２０に設けてもよい。コネクタを介して外部用のケーブルを内部用のケーブルに接続することで、ガンマイク３０から出力された電気信号を外部に出力することができる。ケーブルから衝撃や固体音がガンマイク３０に伝わることを防止することができる。また、内部用のケーブルをガンマイク３０に接続した状態を維持して持ち運びをすることができ、ガンマイク用風防１００の取り扱いの便宜を図ることができる。さらに、内部用のケーブルに鉛などの付加質量（ブロッキングマス）を設けることにより、衝撃や固体音を更に確実に低減することができる。
【００８８】
＜把持部１３０＞
把持部１３０は、グリップ１３２と連結体１３４とを有する。グリップ１３２は使用者によって把持されることができる。連結体１３４には、複数の環状部材１２４が連結されている。また、連結体１３４はグリップ１３２を回転可能に保持する。
【００８９】
使用者は、把持部１３０を手で持って支持することで、ガンマイク用風防１００とともにガンマイク３００を、所望する音源に向けて位置づけることができる。音源が高い位置や低い位置にあるような場合でも、連結体１３４とグリップ１３２とのなす角を適宜に定めることによって、ガンマイク３００を音源に向けて位置づけることができる。
【００９０】
また、把持部１３０は、使用者の手で支持されるため、使用時に、把持部１３０に衝撃が加えられる場合もある。把持部１３０は、環状部材１２４によって外側包囲体１１０に取り付けられる。上述したように、外側包囲体１１０は、防振構造を構成し、把持部１３０に衝撃が加えられた場合でも、外側包囲体１１０によって衝撃が吸収され、ガンマイク３００に雑音（固体伝搬音）として収音されることを防止できる。
【００９１】
このように、把持部１３０は、外側包囲体１１０を介してガンマイク３００を間接的に支持するための部材であり、外側包囲体１１０の防振構造により衝撃などがガンマイク３００に直接に伝わりにくくできる。
【００９２】
＜＜第１の音響透過体１６０＞＞
第１の音響透過体１６０は、略薄板状の音響透過部材を円筒状に湾曲させることで形成される。音響透過部材は、接触した空気の一部の通過を妨げる。妨げることができなかった残りの空気は音響透過部材を通過する。音響透過部材については、後で詳述する。
【００９３】
＜形状及び大きさ＞
図４に示すように、第１の音響透過体１６０は、細長い略円筒状の形状を有する。上述したように、第１の音響透過体１６０の半径は、外側包囲体１１０の空洞１１８の半径よりも若干大きくなるように形成されている。このようにすることで、円筒部１１４を少し弾性変形させて、第１の音響透過体１６０を空洞１１８内に挿入できる。円筒部１１４（外側包囲体１１０）の弾性変形によって生ずる付勢力により円筒部１１４に係止される。
【００９４】
第１の音響透過体１６０の音源側の端部１６２は、音響透過部材によって塞がれている。端部１６２を塞いだことにより、外側包囲体１１０の先端部１１２を介して流入して空気が、第１の音響透過体１６０の内側に入り込みにくくできる。また、第１の音響透過体１６０の音源側とは反対側の端部１６４は、開放されているが、後述するように、第１の音響透過体１６０の端部１６４から、マイク保持部１４０が挿入され、防風層に途切れや破断が生じないようにする。
【００９５】
＜配置＞
図５Ａ及び図５Ｂに示すように、第１の音響透過体１６０を、このような形状及び大きさにすることで、第１の音響透過体１６０を外側包囲体１１０で覆うように略同心状（同軸状）に配置することができる。
【００９６】
第１の音響透過体１６０の内側に、長手方向に沿ってマイク保持部１４０が配置される。第１の音響透過体１６０の半径は、マイク保持部１４０の半径よりも若干大きく定められる。
【００９７】
図５Ａ及び図５Ｂに示すように、マイク保持部１４０には、ガンマイク３００が収納される。第１の音響透過体１６０は円筒状の形状を有するとともに、第１の音響透過体１６０の長手方向の長さは、ガンマイク３００の長手方向の長さよりも長い。このため、マイク保持部１４０を介してガンマイク３００を第１の音響透過体１６０に円滑に着脱できるとともに、ガンマイク３００の全体を第１の音響透過体１６０に収容することができる。
【００９８】
＜音響透過部材＞
音響透過部材は、繊維を含んで構成される原料を互いに交絡することによって得られる繊維材料からなり、当該繊維材料の透気度は０．５ｓ／１００ｍｌ未満となっている。これは、音響透過部材として用いられる繊維材料の透気度が０．５ｓ／１００ｍｌ含んで構成される原料を互いに交絡することによって得られる繊維材料であるために、無数の不規則な空隙を有する程度の繊維の密度となっているので、風切音の原因となる風が遮断されるからである。
【００９９】
すなわち、繊維材料からなる音響透過部材が空気分子塊の移動である「風」に対しては遮蔽物、あるいは移動方向変換装置（フラップ）として機能し、また気圧変化の移動（媒体自体は振動するだけで移動しない）である「音」に対してはほぼ完全な透過性を呈するからである。
【０１００】
なお、音響透過部材は、繊維材料自体が自立性（剛性）を有する場合、他の部材を併用する必要はないが、例えば、２つの網状体の間に繊維材料を挟みこんだ構成を有していてもよい。
【０１０１】
ここで、音響透過部材について、詳細に説明する。
【０１０２】
前述のように、音響透過部材は所定の周波数の範囲（２０〜２０ｋＨｚ）を透過し、それを構成する繊維材料は、透気度が０．５ｓ／１００ｍｌ未満である。当該性質を有することにより、音響透過性が著しく向上する。透気度とは、一定面積を一定の空気が一定圧力の下で通過するのにかかる時間を意味し、ここではシート状の音響透過性材料に対して、１００ｍｌの空気が通過するのに要する時間である。透気度は、ＪＩＳ  Ｐ８１１７に規定されているガーレー法により測定する。
【０１０３】
また、透気度が０．５ｓ／１００ｍｌ未満とは、本願の測定に用いた装置での測定可能範囲が０．５ｓ／１００ｍｌ以上となっており、音響透過部材の透気度は、この測定可能範囲を下回ったからである。
【０１０４】
音響透過部材は、繊維を含んで構成される原料を互いに交絡することによって得られる。例えば、湿式抄造法で抄紙することによって、繊維が互いに交絡している繊維材料が得られる。繊維材料の製造に用いられる原料は、本実施の形態では、金属繊維またはフッ素繊維である。また、音響透過部材として用いられる繊維材料は、厚さ３ｍｍ以下であり、好ましくは厚さ１０μｍ〜２０００μｍ、より好ましくは厚さ２０μｍ〜１５００μｍである。このような厚みとすることにより、ある程度の剛性を有し最小限のシンプルな骨組みで効果的な風切音低減効果が得られる。
【０１０５】
但し、繊維材料の原料は金属繊維やフッ素繊維に限定されるものではなく、また厚さも上記の数値に限定されるものではない。
【０１０６】
次に、繊維材料の原料としての金属繊維の材料について説明する。
【０１０７】
音響透過部材として金属繊維を用いて湿式抄造により製造する場合、金属繊維材料は、１種または２種以上の金属繊維を含んで構成されるスラリーを湿式抄造法で抄紙することによって得られるものであり、金属繊維を用いて圧縮成形により製造する場合、金属繊維の集合体を加熱下で加圧することによって得られるものであり、ともに金属繊維が互いに交絡している金属繊維材料である。金属繊維材料の形状については特に限定されないが、金属繊維シートであることが好適である。
【０１０８】
以下、金属繊維の材料、構造および製造方法について詳述する。なお、当該金属繊維材料およびその製造方法として、特開２０００−８０５９１、特許２６４９７６８および特許２５６２７６１の記載内容も本明細書に組み込まれているものとする。
【０１０９】
金属繊維の材料である１種または２種以上の金属繊維とは、ステンレス、アルミニウム、真ちゅう、銅、チタン、ニッケル、金、白金、鉛等の金属材料を素材とする繊維から選択される１種または２種以上の組み合わせである。
【０１１０】
金属繊維材料は、金属繊維が互いに交絡した構造を採っている。また、当該金属繊維を構成する金属繊維は、１μｍ〜５０μｍ、好ましくは２μｍ〜３０μｍ、より好ましくは８μｍ〜２０μｍの繊維径を有するものである。このような金属繊維であれば、金属繊維同士を交絡させるのに好適であり、また、このような金属繊維同士を交絡させることにより、表面がけば立ちの少なく、音響透過性のある金属繊維シートとすることが可能となる。
【０１１１】
金属繊維材料の湿式抄造法による製造方法は、１種または２種以上の金属繊維を含んで構成されるスラリーを湿式抄造法によりシート形成する際に、網上の水分を含んだシートを形成している前記金属繊維を互いに交絡させる繊維交絡処理工程を含んで構成される。
【０１１２】
ここで、繊維交絡処理工程としては、例えば、抄紙後の金属繊維シート面に高圧ジェット水流を噴射する繊維交絡処理工程を採用するのが好ましく、具体的には、シートの流れ方向に直交する方向に複数のノズルを配列し、この複数のノズルから同時に高圧ジェット水流を噴射することにより、シート全体に亘って金属繊維同士を交絡させることが可能である。すなわち、湿式抄紙により平面方向に不規則に交差した金属繊維で構成されるシートに、例えば、高圧ジェット水流をシートのＺ軸方向に噴射することにより、高圧ジェット水流が噴射された部分の金属繊維がＺ軸方向に配向する。このＺ軸方向に配向した金属繊維が平面方向に不規則に配向した金属繊維間に絡みつき、各繊維が互いに三次元的に絡み合った状態、すなわち交絡することで物理的強度を得ることができるものである。
【０１１３】
また、抄造方法は、例えば、長網抄紙、円網抄紙、傾斜ワイヤ抄紙等、必要に応じて種々の方法を採用することができる。なお、長繊維の金属繊維を含むスラリーを製造する場合、金属繊維の水中での分散性が悪くなることがあるので、増粘作用のあるポリビニルピロリドン、ポリビニルアルコール、カルボキシメチルセルロース（ＣＭＣ）等の高分子水溶液を少量添加してもよい。
【０１１４】
金属繊維材料の圧縮成形による製造方法は、まずは繊維をまとめ、予備的に圧縮等することでウェブを形成する、または繊維間の結合を付与するために繊維間にバインダを含浸させた後に予備的に圧縮等する。この後、金属繊維の集合体を加熱下で加圧して金属繊維シートが形成される。かかるバインダとしては、特に限定されないが、例えば、アクリル系接着剤、エポキシ系接着剤、ウレタン系接着剤などの有機系バインダの他に、コロイダルシリカ、水ガラス、ケイ酸ソーダなどの無機質接着剤を用いることができる。なお、バインダを含浸する代わりに、繊維の表面に熱接着性樹脂を予め被覆しておき、金属繊維の集合体を積層した後に加熱し接着してもよい。バインダの含浸量は、シートの面重量１０００ｇ／ｍ２に対して、５〜１３０ｇが好適であり、２０〜７０ｇがより好適である。
【０１１５】
金属繊維の集合体を加熱下で加圧してシートが形成される。加熱条件は使用するバインダや熱接着性樹脂の乾燥温度や硬化温度を考慮して設定されるが、加熱温度は通常５０〜１０００℃程度である。加圧圧力は繊維の弾力性、音響透過部材の厚さ、音響透過部材の光透過率を考慮して調節される。なお、スプレー法によりバインダを含浸させる場合には、スプレー処理する前に金属繊維層をプレス加工等により所定厚さに成形するのが好ましい。
【０１１６】
また、金属繊維材料の製造方法は、上述した湿式抄造工程後、得られた金属繊維材料を真空中または非酸化雰囲気中で金属繊維の融点以下の温度で焼結する焼結工程を含んで構成されるのが好ましい（圧縮成形の場合は、加温・加圧がこの焼結工程に代わる）。すなわち、上述した湿式抄造工程後、焼結工程が行われれば、繊維交絡処理が施されるため、金属繊維材料に有機バインダ等を添加する必要がないので、有機バインダ等の分解ガスが焼結工程において障害となることもなく、金属特有の光沢面を有する金属繊維材料を製造することが可能となる。また、金属繊維が交絡しているので、焼結後の金属繊維材料の強度を一層向上することが可能となる。さらに、金属繊維材料を焼結することにより、高い音響透過性を示し、防水性に優れる材料となる。焼結しない場合、残存する増粘作用のある高分子が水を吸収し、防水性が劣る可能性がある。
【０１１７】
次に、繊維材料の原料としてのフッ素繊維の材料について説明する。
【０１１８】
繊維としてフッ素繊維を使用した場合、フッ素繊維材料は、不規則方向に配向した短繊維状のフッ素繊維により構成され、該繊維の繊維間が熱融着により結合されている材料（紙）である。
【０１１９】
以下、フッ素繊維の材料および製造方法について詳述する。なお、当該フッ素繊維材料およびその製造方法として、特開昭６３−１６５５９８の記載内容も本明細書に組み込まれているものとする。
【０１２０】
フッ素繊維は、熱可塑性フッ素樹脂から製造されるもので、その主成分としてはポリテトラフルオロエチレン（ＰＴＦＥ）、テトラフルオロエチレン（ＴＦＥ）、パーフルオロエーテル（ＰＦＥ）、テトラフルオロエチレンとヘキサフルオロプロピレンとのコポリマー（ＦＥＰ）、テトラフルオロエチレンとエチレンまたはプロピレンとのコポリマー（ＥＴＦＥ）、フッ化ビニリデン系樹脂（ＰＶＤＦ）、ポリクロロトリフルオロエチレン樹脂（ＰＣＴＦＥ）、フッ化ビニル系樹脂（ＰＶＦ）があるが、フッ素樹脂から作られたものであればこれらに限定されるものではなく、さらにこれらあるいは他の樹脂と混合して使用することもできる。ここで、当該フッ素繊維は、湿式抄紙法により紙状物とするために、繊維長が１〜２０ｍｍの単繊維であることが好適であり、また、その繊維径は２〜３０μｍであることが好適である。
【０１２１】
フッ素繊維材料は、フッ素繊維と自己接着機能を有する物質とを湿式抄造法により混抄し乾燥して得たフッ素繊維混抄紙材料を、フッ素繊維の軟化点以上で熱圧着してフッ素繊維の繊維間を熱融着させた後、自己接着機能を有する物質を溶媒により溶解除去し、必要により再乾燥することにより製造することができる。
【０１２２】
ここで、自己接着機能を有する物質としては、通常製紙用として用いられる木材、綿、麻、わら等の植物繊維からなる天然パルプ、ポリビニルアルコール（ＰＶＡ）、ポリエステル、芳香族ポリアミド、アクリル系、ポリオレフィン系の熱可塑性合成高分子からなる合成パルプや合成繊維、更に天然高分子や合成高分子からなる製紙用紙力増強剤等を用いることができるが、自己接着性の機能があってフッ素繊維と混在して水に分散できるものであればこれらに限定されるものではない。
【０１２３】
本発明の音響透過部材は、繊維を含んで構成される原料を湿式抄造法で抄紙することによって得られる繊維材料を含み、当該繊維材料の透気度が０．５ｓ／１００ｍｌ未満であれば足り、これらに限定されるものではない。
【０１２４】
上述したように、音響透過部材は、無数の不規則な空隙を有する程度の繊維の密度を有し、風切音の原因となる風を遮断することができる。繊維材料からなる音響透過部材は、空気分子塊の移動である「風」に対しては遮蔽物として機能し、又は移動方向変換装置（フラップ）として機能するとともに、気圧変化の移動（媒体自体は振動するだけで移動しない）である「音」に対してはほぼ完全な透過性を呈する。
【０１２５】
第１の音響透過体１６０は、このような音響透過部材によって構成され、基本的には、風切音の原因となる風を遮断することができる。しかしながら、ガンマイク３００は、屋外などで使用される場合が多く、特に横からの風の影響を受けやすく、また、長尺な形状を有するために風に触れる面積が大きくならざるを得ない。このため、第１の音響透過体１６０を覆うように外側包囲体１１０を設けることで、後述する第２の空間ＳＰ２０を形成し、空気の流れを確実に遮断する必要がある。
【０１２６】
＜＜マイク保持部１４０＞＞
マイク保持部１４０は、ガンマイク３００を保持するための部材である。図４、図７及び図８に示すように、マイク保持部１４０は、長尺な形状を有し、第１の音響透過体１６０の内側に収納される。
【０１２７】
マイク保持部１４０は、２本の直線金属フレーム１４２と、円状の先端部金属フレーム１４４と、３つの円状の周回金属フレーム１４６と、終端部金属フレーム１４８とからなる。先端部金属フレーム１４４は、マイク保持部１４０の先端部１５２に取り付けられる。終端部金属フレーム１４８は、マイク保持部１４０の終端部１５４に取り付けられる。直線金属フレーム１４２と、先端部金属フレーム１４４と、周回金属フレーム１４６と、終端部金属フレーム１４８とは、一定の形状を保持できればよく、金属製でも樹脂性でもよいが、収音対象音声の品質（周波数スペクトル）に影響を与えないよう、即ち、挿入損失が十分小さいか全周波数帯域で略ゼロになるよう、フレーム素材径は剛性を保ちながらも略２ｍｍ以下になるようにするなど、極力小さい方が望ましい。
【０１２８】
なお、マイク保持部１４０の先端部１５２は、ガンマイク３００の第１の端部３３０（開口部３３２）が位置づけられる側の端部であり、終端部１５４は、ガンマイク３００の第２の端部３４０が位置づけられる側の端部である。
【０１２９】
２本の直線金属フレーム１４２は、互いに平行に配置され、マイク保持部１４０の長手方向となる。２本の直線金属フレーム１４２は、先端部１５２に向かって互いに徐々に近づくように形成され、先端部１５２で連結されている。このようにすることで、マイク保持部１４０の直径を先端部１５２に向かうに従って徐々に細くなるように形成できる。ガンマイク３００がマイク保持部１４０から抜け落ちることを防止し、ガンマイク３００を安定的に保持することができる。
【０１３０】
また、マイク保持部１４０の先端部１５２では、先端部金属フレーム１４４によって２本の直線金属フレーム１４２が連結される。先端部金属フレーム１４４で連結することで、マイク保持部１４０の先端部１５２の形状を保つことができる。
【０１３１】
図８に示すように、先端部金属フレーム１４４に、ガンマイク３００の干渉管３２０の開口部３３２が位置づけられる。先端部金属フレーム１４４によって、開口部３３２の前方を塞ぐことなく、ガンマイク３００を配置することができ、音源から発せられた音を的確に収音することができる。
【０１３２】
２本の直線金属フレーム１４２は、長手方向に沿った異なる３箇所の位置で、周回金属フレーム１４６によって互いに連結されている。このようにすることで、２本の直線金属フレーム１４２が互いに近づいたり離れたりすることを防止し、マイク保持部１４０の直径を一定に保つことができる。
【０１３３】
マイク保持部１４０の終端部１５４には、終端部金属フレーム１４８が連結されている。終端部金属フレーム１４８は、外側の円状の金属フレーム及び内側の円状の金属フレームと、正方形状の金属フレームとによって構成される。外側の円状の金属フレーム及び内側の円状の金属フレームは同心状に配置され、外側の円状の金属フレームが２本の直線金属フレーム１４２の終端部１５４に連結される。正方形状の金属フレームは、外側の円状の金属フレーム及び内側の円状の金属フレームを互いに連結する。マイク保持部１４０の終端部１５４をこれらの金属フレームで構成したことにより、ガンマイク３００の着脱時に加わる力を分散させることができ、マイク保持部１４０の終端部１５４の形状を一定に保つことができる。
【０１３４】
また、内側の円状の金属フレームの直径は、ガンマイク３００の直径よりも若干大きく形成されている。内側の円状の金属フレームの内側に円滑にガンマイク３００を通過させることができる。
【０１３５】
マイク保持部１４０を金属フレームによって構成することで、干渉管３２０の側面に形成されたスリット３５０を塞ぐことなくガンマイク３００をマイク保持部１４０に保持することができる。また、マイク保持部１４０を金属フレームによって構成することで、マイク保持部１４０を軽量化でき、ガンマイク用風防１００の取り扱いを簡便にできる。さらに、金属フレームで構成することで、マイク保持部１４０の剛性を保つことができガンマイク３００を安定的に保持することができる。
【０１３６】
＜保持部材１５８＞
３つの周回金属フレーム１４６の各々に、４つの保持部材１５８が設けられている。４つの保持部材１５８は、互いに向かい合うように、すなわち、約９０度ごとの間隔で保持部材１５８を周回するように配置されている。保持部材１５８はゴムなどの弾性部材からなる。たとえば、シリコーンを原料とし柔軟性を有するゲル状の材料などを用いることができる。保持部材１５８は、弾性変形することで緩衝や防振のために用いることができる。
【０１３７】
ガンマイク３００がマイク保持部１４０に収納されたときには、ガンマイク３００は、３つの周回金属フレーム１４６の各々に設けられた４つの保持部材１５８により保持される。保持部材１５８によって衝撃が吸収され、衝撃が雑音として収音されることを防止できる。
【０１３８】
＜案内補助部材１５０＞
案内補助部材１５０は、ガンマイク３００を保持するための補助部材である。案内補助部材１５０は、４本の樹脂製のガイド部材１５６からなる。４本のガイド部材１５６は、互いに向かい合って、２本の直線金属フレーム１４２と平行になるように配置される。
【０１３９】
上述した直線金属フレーム１４２と先端部金属フレーム１４４と周回金属フレーム１４６と終端部金属フレーム１４８とは一定の形状を有するものであったが、ガイド部材１５６は、一定の形状を有するものでも、可撓性を有し変形するものでもよい。案内補助部材１５０は、ガンマイク３００をマイク保持部１４０と着脱するときに、ガンマイク３００がマイク保持部１４０からはみ出したり外れたりしないように案内する部材である。案内補助部材１５０を設けたことにより、ガンマイク３００をマイク保持部１４０の内側に沿って円滑に案内することができる。
【０１４０】
２本の直線金属フレーム１４２と４本のガイド部材１５６とは、仮想的な長尺な円筒の表面の長手方向に沿って配置される。仮想的な長尺な円筒は、マイク保持部１４０の内側の外形を画定する。
【０１４１】
図４、図５Ａ及び図５Ｂに示すように、ガンマイク３００は、マイク保持部１４０に収納され、マイク保持部１４０は、第１の音響透過体１６０に収納される。第１の音響透過体１６０は、外側包囲体１１０の空洞１１８に収納される。このようにして、ガンマイク３００とマイク保持部１４０と第１の音響透過体１６０とは、外側包囲体１１０に収容される。
【０１４２】
マイク保持部１４０は、第１の音響透過体１６０に収納される。マイク保持部１４０によって、第１の音響透過体１６０の内側から第１の音響透過体１６０の形状を保持する。また、第１の音響透過体１６０は、外側包囲体１１０に収納される。外側包囲体１１０によって第１の音響透過体１６０の位置が保持される。
【０１４３】
上述したように、ガンマイク３００は、マイク保持部１４０に収納され、マイク保持部１４０は、第１の音響透過体１６０に収納される。さらに、ガンマイク３００は、保持部材１５８によってマイク保持部１４０に保持される。保持部材１５８は、所定の厚みを有する。保持部材１５８の厚みによって、ガンマイク３００は、２本の直線金属フレーム１４２から離隔した位置に保持される。このようにして、第１の音響透過体１６０の内側では、第１の音響透過体１６０とガンマイク３００との間に間隙が形成され、間隙によって第１の空間ＳＰ１０が画定される。
【０１４４】
＜終端蓋体１７０＞
図２〜図４に示すように、ガンマイク用風防１００は、終端蓋体１７０を有する。終端蓋体１７０は、外側包囲体１１０と同様の同じ材料で形成され、ガンマイク用風防１００の終端側を塞ぐことにより防風層に途切れができないようにし、かつ、ガンマイク３００の位置を所定の位置に固定するストッパとしても機能する。終端蓋体１７０は、先端部１１２と同様の形状を有する。終端蓋体１７０は、連続気泡を有する弾性発泡体により形成され、音響透過性を有し外部からの音を通過させることができる。
【０１４５】
終端蓋体１７０は、円筒部１１４の第２の端部１１６ｂに取り付けられる。終端蓋体１７０を円筒部１１４の第２の端部１１６ｂに取り付けることで、ガンマイク３００とマイク保持部１４０と第１の音響透過体１６０との全体を、連続気泡を有する弾性発泡体で覆うことができ、ガンマイク用風防１００をなす。
【０１４６】
＜＜第１の空間ＳＰ１０＞＞
図６、図９Ａ及び図９Ｂに示すように、第１の音響透過体１６０内で、第１の音響透過体１６０とガンマイク３００との間に間隙が形成され、第１の空間ＳＰ１０が画定される。第１の空間ＳＰ１０は、全体として略円筒状の形状を有する間隙である。第１の空間ＳＰ１０の長手方向に沿った長さは、第１の音響透過体１６０の長手方向に沿った長さによって定まる。第１の空間ＳＰ１０の側面の厚さは、第１の音響透過体１６０とガンマイク３００との間の距離Ｄ１（第１の空間ＳＰ１０の直径方向の厚さＤ１と称する。）である（図６参照）。
【０１４７】
＜＜第２の空間ＳＰ２０＞＞
上述したように、外側包囲体１１０の円筒部１１４は、半径方向に厚みＴ１を有し（図６参照）、この厚みＴ１によって第２の空間ＳＰ２０が画定される。第２の空間ＳＰ２０は、全体として略円筒状の形状を有する間隙である。第２の空間ＳＰ２０の長手方向に沿った長さは、円筒部１１４の長手方向に沿った長さによって定まる。第２の空間ＳＰ２０の側面の厚さは、円筒部１１４の半径方向の厚みＴ１（以下、第２の空間ＳＰ２０の直径方向の厚さＴ１と称する。）である。
【０１４８】
＜第２の空間ＳＰ２０における空気の流れ（圧力の変化）＞
図９Ａは、第２の空間ＳＰ２０において長手方向に沿って案内される空気の流れを示す断面図である。図９Ｂは、第２の空間ＳＰ２０において周方向（第１の音響透過体１６０を周回する方向）に沿って案内される空気の流れを示す断面図である。
【０１４９】
第２の空間ＳＰ２０は、外側包囲体１１０の円筒部１１４によって画定される領域であり弾性発泡体によって占められた領域である。
【０１５０】
外側包囲体１１０の表面を通過した空気は、第２の空間ＳＰ２０に入り込む。第２の空間ＳＰ２０に入り込んだ空気は、弾性発泡体に進入する。弾性発泡体は連続気泡を有し、弾性発泡体に進入した空気は連続気泡に沿って移動する。弾性発泡体によって空気の流れの向きを制御することができる。また、連続気泡との衝突により空気の流れを妨げ徐々に減速することができる。このように、弾性発泡体は、空気の速度を抑制することができる。
【０１５１】
さらに、第２の空間ＳＰ２０に進入した空気は、第１の音響透過体１６０との接触で阻まれつつ進行する。このように、弾性発泡体に進入した空気は、第１の音響透過体１６０に案内されながら第２の空間ＳＰ２０内を移動しながら徐々に減速していく。
【０１５２】
第２の空間ＳＰ２０内を移動する空気は、第１の音響透過体１６０の長手方向に沿って移動する成分ＬＰ２０（図９Ａ参照）と、第１の音響透過体１６０の周方向に沿って移動する成分ＡＰ２０（図９Ｂ参照）とを有する。
【０１５３】
＜第２の空間ＳＰ２０における長手方向の空気の流れ＞
第２の空間ＳＰ２０は、ガンマイク３００の長手方向の長さに応じて、長手方向に延びて存在（延在）する空間である。第２の空間ＳＰ２０の長手方向の長さは、使用するガンマイク３００の外形（長さ）に応じて定めることができる。たとえば、第２の空間ＳＰ２０の長手方向の長さとして、ガンマイク３００の長手方向の長さにガンマイク３００の直径分以上の長さを加えた長さにすることができる。ガンマイク３００の直径の１０倍以上の長さにもできるが、ガンマイク３００の直径の２倍〜５倍が好適である。
【０１５４】
第２の空間ＳＰ２０は、空気を長手方向に流動可能にするための領域であり、第２の空間ＳＰ２０に入り込んだ空気は、長手方向に移動することができる。第２の空間ＳＰ２０によって、長手方向に空気が十分に移動できる空間を確保することにより、空気を移動させつつ徐々に減速させる機会を増やすことができ、第２の空間ＳＰ２０から第１の空間ＳＰ１０に空気が入り込みにくくできる。
【０１５５】
このように、第２の空間ＳＰ２０は、空気が長手方向に流動できる領域が確保された空間であり、第１の空間ＳＰ１０に空気が入り込みにくくするための空気の流れの緩衝領域として機能する。
【０１５６】
＜第２の空間ＳＰ２０における周方向の空気の流れ＞
【０１５７】
第２の空間ＳＰ２０の直径方向の厚さＴ１は、ガンマイク３００の直径に応じて決定することができる。例えば、第２の空間ＳＰ２０の直径方向の厚さＴ１を、ガンマイク３００の直径以下にしたり、半径以下にしたりすることができる。また、第２の空間ＳＰ２０の直径方向の厚さＴ１を、ガンマイク３００の直径よりも大きくしてもよい。全体としては、先端部が略半球状、または流線型をなすように構成することが好適である。
【０１５８】
第２の空間ＳＰ２０は、空気の流れの緩衝領域として機能できればよく、第２の空間ＳＰ２０によって、空気の移動を減衰できる空間を確保できればよいが、基本的にはガンマイク３００の全周にわたり、略均等な空気層が確保できるように構成することが望ましい。
【０１５９】
また、第２の空間ＳＰ２０は、空気を周方向に沿って流動可能にするための領域であり、第２の空間ＳＰ２０に入り込んだ空気は、周方向に沿って移動することができる。第２の空間ＳＰ２０によって、周方向に空気の移動を減衰できる空間を確保することにより、空気を移動させつつ徐々に減速させる機会を増やすことができ、第２の空間ＳＰ２０から第１の空間ＳＰ１０に空気が入り込みにくくできる。
【０１６０】
このように、第２の空間ＳＰ２０は、空気が長手方向及び周方向に流動しつつ減衰できる領域が確保された空間であり、第１の空間ＳＰ１０に空気が入り込みにくくするための空気の流れの緩衝領域として機能する。
【０１６１】
＜第１の空間ＳＰ１０における空気の流れ（圧力の変化）＞
図９Ａは、第１の空間ＳＰ１０において長手方向に沿って案内される空気の流れを示す断面図である。図９Ｂは、第１の空間ＳＰ１０において周方向（ガンマイク３００を周回する方向）に沿って案内される空気の流れを示す断面図である。
【０１６２】
第１の空間ＳＰ１０は、第１の音響透過体１６０とガンマイク３００とに挟まれた領域である。第１の空間ＳＰ１０は、第２の空間ＳＰ２０とは異なり、弾性発泡体が充填されていない。なお、ガンマイク３００が使用される環境などに応じて、第１の空間ＳＰ１０にも弾性発泡体を適宜に充填してもよい。
【０１６３】
上述したように、第２の空間ＳＰ２０（弾性発泡体）は、第２の空間ＳＰ２０に入り込んだ空気を徐々に減速するための緩衝領域として機能する。したがって、空気は、第１の音響透過体１６０を通過しにくくなっている。しかしながら、ガンマイク３００が使用される環境によっては、空気が第１の音響透過体１６０を通過する場合も想定される。空気が第１の音響透過体１６０を通過した場合には、第１の空間ＳＰ１０にも入り込む。
【０１６４】
第１の空間ＳＰ１０に入り込んだ空気は、第１の音響透過体１６０及びガンマイク３００に接触するたびに阻まれて進行する。このように、第１の空間ＳＰ１０に入り込んだ空気は、第１の音響透過体１６０及びガンマイク３００に接触するたびに減衰しつつ第１の空間ＳＰ１０内を移動していく。
【０１６５】
第１の空間ＳＰ１０内を移動する空気は、第２の空間ＳＰ２０と同様に、第１の音響透過体１６０及びガンマイク３００の長手方向に沿って移動する成分ＬＰ１０（図９Ａ参照）と、第１の音響透過体１６０及びガンマイク３００の周方向に沿って移動する成分ＡＰ１０（図９Ｂ参照）とを有する。
【０１６６】
＜第１の空間ＳＰ１０における長手方向の空気の流れ＞
第１の空間ＳＰ１０は、ガンマイク３００の長手方向の長さに応じて、長手方向に延びて存在（延在）する空間である。第１の空間ＳＰ１０の長手方向の長さは、使用するガンマイク３００の外形に応じて定めることができる。たとえば、第１の空間ＳＰ１０の長手方向の長さは、ガンマイク３００の長手方向の長さと略同じであるか又は若干長くすることができ、ガンマイク３００の直径の２倍〜５倍程度の長さを加えた長さにできる。
【０１６７】
第１の空間ＳＰ１０も、空気を長手方向に流動可能にするための領域であり、第１の空間ＳＰ１０に入り込んだ空気は、長手方向に移動することができる。すなわち、第１の空間ＳＰ１０に入り込んだ空気を、第１の音響透過体１６０によって長手方向に案内しつつ接触により徐々に減速させることができる。第１の空間ＳＰ１０によって、長手方向に空気が十分に移動できる空間を確保することにより、空気を移動させつつ徐々に減速させる機会を増やすことができ、第１の空間ＳＰ１０からガンマイク３００に向かって空気が漏れ出にくくできる。
【０１６８】
このように、第１の空間ＳＰ１０も、空気が長手方向に流動できる領域が確保された空間であり、ガンマイク３００に空気が入り込みにくくするための空気の流れの緩衝領域として機能する。
【０１６９】
＜第１の空間ＳＰ１０における周方向の空気の流れ＞
第１の空間ＳＰ１０の直径方向の厚さＤ１は、ガンマイク３００の直径に応じて決定することができるが、風雑音低減という風防の基本機能と、ガンマイク３００の取り扱いのし易さとを勘案して決定する。基本的には、Ｄ１が大きいほど低音域まで風雑音を低減することができる。例えば、第１の空間ＳＰ１０の直径方向の厚さＤ１を、ガンマイク３００の直径以下にしたり、半径以下にしたりすることができる。また、第１の空間ＳＰ１０の直径方向の厚さＤ１を、ガンマイク３００の直径よりも大きくしてもよい。
【０１７０】
第１の空間ＳＰ１０は、空気の流れの緩衝領域として機能できればよく、第１の空間ＳＰ１０によって、空気が十分に移動できる空間を確保できればよい。第１の空間ＳＰ１０の長手方向の長さと、第１の空間ＳＰ１０の直径方向の厚さＤ１とのバランスによって、空気が十分に移動できる空間を定めればよい。たとえば、第１の空間ＳＰ１０の直径方向の厚さＤ１を短くしたとしても、第１の空間ＳＰ１０の長手方向の長さを長くすることで、空気が十分に移動できる空間を確保できればよい。
【０１７１】
第１の空間ＳＰ１０は、空気を周方向に沿って流動可能にするための領域であり、第１の空間ＳＰ１０に入り込んだ空気は、周方向に沿って移動することができる。第１の空間ＳＰ１０によって、周方向に空気が十分に移動できる空間を確保することにより、空気を移動させつつ徐々に減速させる機会を増やすことができ、第１の空間ＳＰ１０からガンマイク３００に向かって空気が漏れ出にくくできる。
【０１７２】
このように、第１の空間ＳＰ１０は、空気が周方向にも流動できる領域が確保された空間であり、ガンマイク３００に空気が入り込みにくくするための空気の流れの緩衝領域として機能する。
【０１７３】
＜第１の空間ＳＰ１０及び第２の空間ＳＰ２０の負圧変動の抑制＞
上述したように、ガンマイク３００のマイクロホン本体３１０に空気が流入して振動板を振動させることで、風雑音が発生する。さらに、風雑音は、このような、直接的な空気の流入だけでなく、周囲の圧力の変動によっても生ずる。
【０１７４】
ガンマイク用風防１００は、第１の空間ＳＰ１０及び第２の空間ＳＰ２０を有し、長手方向に空気を十分に移動させるとともに、移動させた空気を減速させることで、負圧変動を吸収することができる。このように、第１の空間ＳＰ１０及び第２の空間ＳＰ２０を２段階の緩衝領域として機能させることで負圧変動を段階的に抑えることができる。
【０１７５】
このように、ガンマイク用風防１００は、第１の空間ＳＰ１０及び第２の空間ＳＰ２０を形成したことにより、ガンマイク３００に空気が入り込みにくくでき、空気が振動板を振動させることで生ずる風雑音を防ぐことができる。
【０１７６】
さらに、空気がガンマイク３００に入り込まない場合であってもガンマイク３００の周囲で空気が流動して生ずる負圧変動によって振動板を振動させる場合がある。このような場合でも、第１の空間ＳＰ１０及び第２の空間ＳＰ２０を形成したことにより負圧変動を抑えることができ、負圧変動による風雑音の発生も防ぐことができる。
【０１７７】
このように、第１の空間ＳＰ１０及び第２の空間ＳＰ２０により、空気の動きを遮るだけでなく、負圧変動の発生も抑えることができる。
【０１７８】
＜＜＜第２の実施の形態＞＞＞
上述した第１の実施の形態では、マイク保持部１４０によってガンマイク３００を第１の音響透過体１６０の内部で保持する例を示した。第２の実施の形態では、マイク保持部１４０の替わりに第２の音響透過体２６０を用いる。第２の実施の形態において、第１の実施の形態と同じ構成には、同様の符号を付した。
【０１７９】
図１０は、第２の実施の形態におけるガンマイク用風防２００の構成を示す斜視図である。図１１は、第２の実施の形態における第１の音響透過体１６０と第２の音響透過体２６０とを示す斜視図である。図１２は、第２の実施の形態における第１の音響透過体１６０と第２の音響透過体２６０との間に設けられる弾性保持体２４０を示す斜視図である。
【０１８０】
図１０に示すように、第２の実施の形態におけるガンマイク用風防２００は、主に、外側包囲体１１０と、第１の音響透過体１６０と、第２の音響透過体２６０とからなる。
【０１８１】
＜外側包囲体１１０＞
外側包囲体１１０は、第１の実施の形態におけるガンマイク用風防１００と同様の構成及び機能を有する。外側包囲体１１０は、先端部１１２と円筒部１１４とを有する。先端部１１２及び円筒部１１４は、連続気泡を有する弾性発泡体により形成され、音響透過性を有し外部からの音を通過させることができる。
【０１８２】
外側包囲体１１０は、弾性発泡体により形成されていることから、あらゆる箇所で弾性変形できる。このため、外部から衝撃などが加えられた場合でも、弾性的な変形と復元とを繰り返すことで、衝撃を徐々に吸収することができる。外側包囲体１１０によって防振構造を構成することができる。外側包囲体１１０の防振構造により、外部から加えられた衝撃などを吸収しガンマイク３００に伝わりにくくし雑音として収音されることを防止できる。
【０１８３】
円筒部１１４の内部には、長手方向に沿って長尺な空洞１１８が形成されている。第１の音響透過体１６０を空洞１１８に挿入することができる。円筒部１１４の弾性変形によって生ずる付勢力により、第１の音響透過体１６０を空洞１１８の一定の位置に保持することができる。固定部材などの部材を用いることなく、第１の音響透過体１６０を外側包囲体１１０の内部の一定の位置に保持することができる。
【０１８４】
＜＜防振保持部１２０（保持体１２２及び把持部１３０）の取り付け＞＞
第２の実施の形態におけるガンマイク用風防２００でも、最外周に配置されるのは外側包囲体１１０であり、第１の実施の形態と同様に、保持体１２２及び把持部１３０を外側包囲体１１０に着脱可能に取り付けることができる。保持体１２２を外側包囲体１１０に取り付ける態様は、第１の実施の形態におけるガンマイク用風防１００と同様である（図１及び図２並びにその説明を参照）。
【０１８５】
このように、第２の実施の形態におけるガンマイク用風防２００の外側包囲体１１０にも保持体１２２を取り付けることができ、環状部材１２４を円筒部１１４に係止するようにしたことで、外側包囲体１１０を加工したり変形したりすることなく、また、外側包囲体１１０の音響特性を変更することなく、保持体１２２を外側包囲体１１０に取り付けることができる。また、着脱可能に構成しているので、持ち運びを容易にするとともに、取り扱いを簡便にできる。
【０１８６】
また、把持部１３０は、使用者の手で支持されるため、使用時に、把持部１３０に衝撃が加えられる場合もある。把持部１３０は、環状部材１２４によって外側包囲体１１０に取り付けられる。第１の実施の形態と同様に、外側包囲体１１０は、防振構造を構成し、把持部１３０に衝撃が加えられた場合でも、外側包囲体１１０によって衝撃が吸収され、ガンマイク３００に雑音として収音されることを防止できる。
【０１８７】
このように、把持部１３０は、外側包囲体１１０を介してガンマイク３００を間接的に支持ための部材であり、衝撃などがガンマイク３００に直接に伝わりにくくすることができる。
【０１８８】
＜第１の音響透過体１６０＞
第１の音響透過体１６０も、第１の実施の形態におけるガンマイク用風防１００と同様の構成及び機能を有する。第１の音響透過体１６０は、略薄板状の音響透過部材を円筒状に湾曲させることで形成される。音響透過部材は、接触した空気の一部の通過を妨げる。妨げることができなかった残りの空気は音響透過部材を通過する。
【０１８９】
第１の音響透過体１６０は、細長い略円筒状の形状を有する。外側包囲体１１０の円筒部１１４を少し弾性変形させることで、第１の音響透過体１６０を空洞１１８内に挿入でき、円筒部１１４の弾性変形で生ずる付勢力によって、円筒部１１４に係止される。
【０１９０】
第１の音響透過体１６０の音源側の端部１６２は、音響透過部材によって塞がれている。外側包囲体１１０の先端部１１２を介して流入して空気が、第１の音響透過体１６０の内側に入り込みにくくできる。
【０１９１】
＜第２の音響透過体２６０＞
第２の音響透過体２６０は、第１の音響透過体１６０と同様に、略薄板状の音響透過部材を円筒状に湾曲させることで形成される。音響透過部材は、接触した空気の一部の通過を妨げる。妨げることができなかった残りの空気は音響透過部材を通過する。
【０１９２】
図１０、図１１及び図１２に示すように、第２の音響透過体２６０は、細長い略円筒状の形状を有する。上述したように、第２の音響透過体２６０の半径は、第１の音響透過体１６０の半径よりも小さく形成されている。このようにすることで、第１の音響透過体１６０と第２の音響透過体２６０との間に第３の空間ＳＰ３０を形成することができる。
【０１９３】
第２の音響透過体２６０の音源側の端部２６２も、音響透過部材によって塞がれている。第２の音響透過体２６０の内側に入り込みにくくできる。
【０１９４】
図１０〜図１３に示すように、第２の音響透過体２６０を、このような形状及び大きさにすることで、第２の音響透過体２６０を第１の音響透過体１６０で覆うように略同心状（同軸状）に配置することができる。
【０１９５】
後述するように、第２の音響透過体２６０の内側に、長手方向に沿ってガンマイク３００が配置される。第２の音響透過体２６０の半径は、ガンマイク３００の半径よりも若干大きく定められる。
【０１９６】
＜弾性保持体２４０＞
第１の音響透過体１６０と第２の音響透過体２６０との間には、弾性保持体２４０が配置される。弾性保持体２４０は、環状の形状を有する。弾性保持体２４０は、弾性変形できる材料で形成される。弾性保持体２４０は、例えば、外側包囲体１１０と同様の材料で形成することができる。連続気泡を有する弾性発泡体で弾性保持体２４０を形成することで、弾性保持体２４０は、音響透過性を有し音を通過させることができるともに、円滑に空気も移動させることができる。
【０１９７】
上述したように、弾性保持体２４０は、環状の形状を有し、第２の音響透過体２６０の外周を周回するように弾性保持体２４０を取り付けることができる。また、弾性保持体２４０は、第２の音響透過体２６０の長手方向に沿った異なる複数の位置に設けることができる。第２の音響透過体２６０に弾性保持体２４０を取り付けた状態で、第１の音響透過体１６０の内側に押し込むことで第２の音響透過体２６０を第１の音響透過体１６０に収納することができる。
【０１９８】
第２の音響透過体２６０が第１の音響透過体１６０に収納されると、弾性保持体２４０は弾性変形して付勢力が生ずる。生じた付勢力によって第２の音響透過体２６０は、第１の音響透過体１６０に係止される。
【０１９９】
上述したように、第１の音響透過体１６０は、円筒部１１４の弾性変形で生ずる付勢力によって円筒部１１４に係止される。さらに、第２の音響透過体２６０は、第２の音響透過体２６０に取り付けられた弾性保持体２４０の弾性変形で生ずる付勢力によって第１の音響透過体１６０に係止される。
【０２００】
第２の音響透過体２６０を第１の音響透過体１６０に係止することによって、第２の音響透過体２６０が変形したり変位したりすることを防止して、第１の音響透過体１６０と第２の音響透過体２６０と間で第１の空間ＳＰ１０を安定的に形成することができる。
【０２０１】
弾性保持体２４０は、弾性変形でき、外部から衝撃が加えられた場合でも、衝撃を吸収できる。このため、ガンマイク３０に伝わりにくくし雑音として収音されること防止できる。円筒部１１４の弾性変形により、まず、衝撃を吸収し、さらに、弾性保持体２４０によって衝撃を吸収することができる。このように、衝撃を二段階で吸収することができる。
【０２０２】
＜第２の音響透過体２６０の機能＞
第２の音響透過体２６０の内側には、ガンマイク３００が収容される。第２の音響透過体２６０は、ガンマイク３００を着脱可能に収容して保持する機能する。第２の音響透過体２６０は円筒状の形状を有するとともに、第２の音響透過体２６０の長手方向の長さは、ガンマイク３００の長手方向の長さよりも長い。このため、ガンマイク３００を第２の音響透過体２６０に円滑に着脱できるとともに、ガンマイク３００の全体を第２の音響透過体２６０に収容することができる。
【０２０３】
第２の音響透過体２６０は、音響透過部材によって構成されており風雑音を防ぐ機能を有する。また、第２の音響透過体２６０は、内側にガンマイク３００を着脱可能に保持する機能を有する。
【０２０４】
＜第３の空間ＳＰ３０＞
図１３Ａ及び図１３Ｂに示すように、第１の音響透過体１６０及び第２の音響透過体２６０は、略同心状にかつ互いに離隔するように配置されている。このため、第１の音響透過体１６０と第２の音響透過体２６０とに挟まれた領域に、第３の空間ＳＰ３０を画定することができる。第３の空間ＳＰ３０は、全体として略円筒状の形状を有する間隙である。第３の空間ＳＰ３０の長手方向に沿った長さは、第１の音響透過体１６０及び第２の音響透過体２６０の長手方向に沿った長さによって定まる。第３の空間ＳＰ３０の側面の厚さは、第１の音響透過体１６０と第２の音響透過体２６０との間隔（第３の空間ＳＰ３０の直径方向の厚さＤ２と称する。）であり、第１の音響透過体１６０の半径と第２の音響透過体２６０の半径との差で定まる。
【０２０５】
＜＜第２の空間ＳＰ２０＞＞
第１の実施の形態と同様に、外側包囲体１１０の円筒部１１４は、半径方向に厚みＴ１を有し（図１３Ｂ参照）、この厚みＴ１によって第２の空間ＳＰ２０が画定される。第２の空間ＳＰ２０は、全体として略円筒状の形状を有する間隙である。第２の空間ＳＰ２０の長手方向に沿った長さは、円筒部１１４や第１の音響透過体１６０の長手方向に沿った長さによって定まる。第２の空間ＳＰ２０の側面の厚さは、円筒部１１４の半径方向の厚みＴ１（以下、第２の空間ＳＰ２０の直径方向の厚さＴ１と称する。）である。なお、第２の空間ＳＰ２０の構成及び機能は、第１の実施の形態と同様である。
【０２０６】
＜第３の空間ＳＰ３０における空気の流れ（圧力の変化）＞
図１３Ａは、第３の空間ＳＰ３０において長手方向に沿って案内される空気の流れを示す断面図である。図１３Ｂは、第３の空間ＳＰ３０において周方向（第１の音響透過体１６０を周回する方向）に沿って案内される空気の流れを示す断面図である。
【０２０７】
第３の空間ＳＰ３０は、第１の音響透過体１６０と第２の音響透過体２６０とに挟まれた領域である。第３の空間ＳＰ３０は、第２の空間ＳＰ２０とは異なり、弾性発泡体が充填されていない。なお、ガンマイク３００が使用される環境などに応じて、第３の空間ＳＰ３０にも弾性発泡体を適宜に充填してもよい。
【０２０８】
上述したように、第２の空間ＳＰ２０（弾性発泡体）は、第２の空間ＳＰ２０に入り込んだ空気を徐々に減速するための緩衝領域として機能する。したがって、空気は、第２の音響透過体２６０を通過しにくくなっている。しかしながら、ガンマイク３００が使用される環境によっては、空気が第２の音響透過体２６０を通過する場合も想定される。空気が第２の音響透過体２６０を通過した場合には、第３の空間ＳＰ３０にも入り込む。
【０２０９】
第３の空間ＳＰ３０は、第１の音響透過体１６０と第２の音響透過体２６０とに挟まれており、第３の空間ＳＰ３０に入り込んだ空気は、第１の音響透過体１６０との接触や第２の音響透過体２６０との接触によって阻まれて進行する。このように、第３の空間ＳＰ３０に入り込んだ空気は、第１の音響透過体１６０との接触や第２の音響透過体２６０との接触のたびに減衰しつつ第３の空間ＳＰ３０内を移動していく。
【０２１０】
第３の空間ＳＰ３０内を移動する空気は、第２の空間ＳＰ２０と同様に、第１の音響透過体１６０及び第２の音響透過体２６０の長手方向に沿って移動する成分ＬＰ１０（図１３Ａ参照）と、第１の音響透過体１６０及び第２の音響透過体２６０の周方向に沿って移動する成分ＡＰ１０（図１３Ｂ参照）とを有する。
【０２１１】
＜第３の空間ＳＰ３０における長手方向の空気の流れ＞
第１の音響透過体１６０及び第２の音響透過体２６０は、ガンマイク３００を長手方向に覆うようにガンマイク３００に合わせて長尺な形状を有する。このため、第１の音響透過体１６０と第２の音響透過体２６０とに挟まれた第３の空間ＳＰ３０も長尺な略円筒状の形状を有し、第３の空間ＳＰ３０は、ガンマイク３００の長手方向の長さに応じて、長手方向に延びて存在（延在）する空間である。
【０２１２】
第３の空間ＳＰ３０の長手方向の長さは、第２の空間ＳＰ２０と略同じ長さを有する。したがって、たとえば、第３の空間ＳＰ３０の長手方向（軸方向）の長さは、ガンマイク３００の長手方向の長さと略同じであるか又は若干長くすることができ、ガンマイク３００の直径の２倍〜５倍程度の長さを加えた長さにできる。
【０２１３】
第３の空間ＳＰ３０も、空気を長手方向に流動可能にするための領域であり、第３の空間ＳＰ３０に入り込んだ空気は、長手方向に移動することができる。すなわち、第３の空間ＳＰ３０に入り込んだ空気を、第１の音響透過体１６０及び第２の音響透過体２６０によって長手方向に案内しつつ接触により徐々に減速させることができる。第３の空間ＳＰ３０によって、長手方向に空気が十分に移動できる空間を確保することにより、空気を移動させつつ徐々に減速させる機会を増やすことができ、第３の空間ＳＰ３０からガンマイク３００に向かって空気が漏れ出にくくできる。
【０２１４】
このように、第３の空間ＳＰ３０も、空気が長手方向に流動できる領域が確保された空間であり、ガンマイク３００に空気が入り込みにくくするための空気の流れの緩衝領域として機能する。
【０２１５】
＜第３の空間ＳＰ３０における周方向の空気の流れ＞
また、第１の音響透過体１６０及び第２の音響透過体２６０は、略円筒状の形状を有し、ガンマイク３００を周回するようにガンマイク３００を覆う。このため、第１の音響透過体１６０と第２の音響透過体２６０とに挟まれた第３の空間ＳＰ３０もガンマイク３００を周回する略円筒状の形状を有し、第３の空間ＳＰ３０は、ガンマイク３００を周方向に覆う空間でもある。
【０２１６】
第３の空間ＳＰ３０の直径方向の厚さＤ２は、ガンマイク３００の直径に応じて決定することができる。例えば、第３の空間ＳＰ３０の直径方向の厚さＤ２を、ガンマイク３００の直径以下にしたり、半径以下にしたりすることができる。また、第３の空間ＳＰ３０の直径方向の厚さＤ２を、ガンマイク３００の直径よりも大きくしてもよい。
【０２１７】
いずれにしても、第３の空間ＳＰ３０は、空気の流れの緩衝領域として機能できればよく、第３の空間ＳＰ３０によって、空気が十分に移動できる空間を確保できればよいが、基本的にはガンマイク３００の全周にわたり、略均等な空気層が確保できるように構成することが望ましい。
【０２１８】
さらに、第３の空間ＳＰ３０の大きさは、第２の空間ＳＰ２０の大きさに応じて定めてもよい。たとえば、第２の空間ＳＰ２０の大きさを第３の空間ＳＰ３０の大きさよりも十分に大きくした場合には、第２の空間ＳＰ２０に入り込んだ空気の流れの大半を、第２の空間ＳＰ２０で抑え第３の空間ＳＰ３０に入り込まないようにすることができる。また、第２の空間ＳＰ２０の大きさを第３の空間ＳＰ３０の大きさよりも小さくした場合には、第２の空間ＳＰ２０に入り込んだ空気の流れの一部を、第２の空間ＳＰ２０で抑え第３の空間ＳＰ３０に入り込まないようにすることができる。ガンマイク３００を使用する環境や干渉管３２０の構造などに応じて第３の空間ＳＰ３０の大きさと第２の空間ＳＰ２０の大きさとを定めることができる。
【０２１９】
第３の空間ＳＰ３０は、空気を周方向に沿って流動可能にするための領域であり、第３の空間ＳＰ３０に入り込んだ空気は、周方向に沿って移動することができる。すなわち、第３の空間ＳＰ３０に入り込んだ空気を、第１の音響透過体１６０及び第２の音響透過体２６０によって周方向に案内しつつ接触により徐々に減速させることができる。第３の空間ＳＰ３０によって、周方向に空気が十分に移動できる空間を確保することにより、空気を移動させつつ徐々に減速させる機会を増やすことができ、第３の空間ＳＰ３０からガンマイク３００に向かって空気が漏れ出にくくできる。
【０２２０】
このように、第３の空間ＳＰ３０は、空気が周方向にも流動できる領域が確保された空間であり、ガンマイク３００に空気が入り込みにくくするための空気の流れの緩衝領域として機能する。
【０２２１】
＜第３の空間ＳＰ３０における空気の流れ＞
上述したように、第３の空間ＳＰ３０に入り込んだ空気は、長手方向に沿って移動する成分ＬＰ１０（図１３Ａ参照）と、周方向に沿って移動する成分ＡＰ１０（図１３Ｂ参照）とを有する。長手方向の成分ＬＰ１０と周方向の成分ＡＰ１０は、第３の空間ＳＰ３０に入り込むときの第２の音響透過体２６０に対する角度や速度分布などによって定まる。
【０２２２】
長手方向の成分ＬＰ１０の空気は、第１の音響透過体１６０及び第２の音響透過体２６０によって阻まれながら長手方向に沿って移動し、弾性発泡体によって徐々に減速される。周方向の成分ＡＰ１０の空気も、第１の音響透過体１６０及び第２の音響透過体２６０によって阻まれながら周方向に沿って移動し、弾性発泡体によって徐々に減速される。このように、第３の空間ＳＰ３０は、第３の空間ＳＰ３０に入り込んだ空気を徐々に減速するための緩衝領域として機能する。
【０２２３】
なお、第３の空間ＳＰ３０に入り込んだ空気は、第３の空間ＳＰ３０で減速されるだけでなく、流速や角度や流量などによっては、周方向に流動した後に、反対側の第３の空間ＳＰ３０から第２の空間ＳＰ２０に抜け出る場合もある（図１３の矢印ＯＰ１０参照）。第３の空間ＳＰ３０に流動する空気が、第１の音響透過体１６０で阻まれることでガンマイク３００に向かって空気が漏れ出にくくできればよい。
【０２２４】
風雑音は、マイクロホン本体３１０の振動板に直接に空気（風）が当たることによって発生する。上述したように、まず、第２の空間ＳＰ２０（弾性発泡体）によって第２の空間ＳＰ２０に入り込んだ空気の動きを抑え、さらに、第３の空間ＳＰ３０によって第３の空間ＳＰ３０に入り込んだ空気の動きを抑える。このように、第３の空間ＳＰ３０及び第２の空間ＳＰ２０によって空気の動きを抑えるので、ガンマイク３００に向かって空気が漏れ出にくくでき、ガンマイク３００のマイクロホン本体３１０の振動板まで空気の動きが伝達しないようにして、風雑音を防止することができる。
【０２２５】
＜第３の空間ＳＰ３０及び第２の空間ＳＰ２０の負圧変動の抑制＞
上述したように、ガンマイク３００のマイクロホン本体３１０に空気が流入して振動板を振動させることで、風雑音が発生する。さらに、風雑音は、このような、直接的な空気の流入だけでなく、周囲の圧力の変動によっても生ずる。
【０２２６】
具体的には、ガンマイク３００の周囲で空気が移動することで、圧力変動、具体的には負圧変動が生じ、負圧変動によってマイクロホン本体３１０の振動板を振動させ、風雑音が生ずる場合がある。ガンマイク用風防１００は、このような負圧変動も抑え、負圧変動による風雑音の発生を防ぐことができる。
【０２２７】
まず、外側包囲体１１０の外側で空気が流動することで、第２の空間ＳＰ２０で負圧変動が生じた場合には、第２の空間ＳＰ２０（弾性発泡体）内で長手方向の空気の移動と周方向の空気の移動とを生じさせ、第２の空間ＳＰ２０での負圧変動を抑える。第２の空間ＳＰ２０での負圧変動を抑えることで、第１の空間で負圧変動が生ずることを防止できる。
【０２２８】
さらに、第２の空間ＳＰ２０の負圧変動が第３の空間ＳＰ３０に伝わり、第３の空間ＳＰ３０で負圧変動が生じた場合であっても、上述したように、第３の空間ＳＰ３０内で長手方向の空気の移動と周方向の空気の移動とを生じさせ、第３の空間ＳＰ３０での負圧変動を抑える。第３の空間ＳＰ３０での負圧変動を抑えることで、ガンマイク３００の振動板に負圧変動が伝わることを防止できる。
【０２２９】
第３の空間ＳＰ３０及び第２の空間ＳＰ２０の各々で、長手方向の空気の移動と周方向の空気の移動とを積極的に生じさせることで負圧変動を抑えることができる。第２の空間ＳＰ２０（弾性発泡体）は、長尺な形状を有し、長手方向に空気を十分に移動させることができ、第１の音響透過体１６０及び第２の音響透過体２６０並びに弾性発泡体と空気が接触することで移動させた空気を徐々に減速させることができる。
【０２３０】
さらに、第３の空間ＳＰ３０も、長尺な形状を有し、長手方向に空気を十分に移動させることができ、第１の音響透過体１６０及び第２の音響透過体２６０と空気が接触することで移動させた空気を徐々に減速させることができる。
【０２３１】
ガンマイク用風防１００は、第３の空間ＳＰ３０及び第２の空間ＳＰ２０を有し、長手方向に空気を十分に移動させるとともに、移動させた空気を減速させることで、負圧変動を吸収することができる。このように、第３の空間ＳＰ３０及び第２の空間ＳＰ２０を２段階の緩衝領域として機能させることで負圧変動を段階的に抑えることができる。
【０２３２】
このように、ガンマイク用風防１００は、第３の空間ＳＰ３０及び第２の空間ＳＰ２０を形成したことにより、ガンマイク３００に空気が入り込みにくくでき、空気が振動板を振動させることで生ずる風雑音を防ぐことができる。
【０２３３】
さらに、空気がガンマイク３００に入り込まない場合であってもガンマイク３００の周囲で空気が流動して生ずる負圧変動によって振動板を振動させる場合がある。このような場合でも、第３の空間ＳＰ３０及び第２の空間ＳＰ２０を形成したことにより負圧変動を抑えることができ、負圧変動による風雑音の発生も防ぐことができる。
【０２３４】
このように、第３の空間ＳＰ３０及び第２の空間ＳＰ２０により、空気の動きを遮るだけでなく、負圧変動の発生も抑えることができる。
【０２３５】
＜＜＜第３の実施の形態＞＞＞
上述の第１の実施の形態では金属フレームで構成されるマイク保持部１４０を用いる例を示した。第３の実施の形態では、ガンマイク３００に弾性保持体２７０を用い、音響透過体１６０に直接保持する。第３の実施の形態において、第１の実施の形態と同じ構成には、同様の符号を付した。
【０２３６】
図１４は第３の実施の形態におけるガンマイク用風防４００の構成を示す斜視図である。図１５は第３の実施の形態における音響透過体１６０とガンマイク３００とを示す斜視図である。図１６は第３の実施の形態における音響通貨体１６０とガンマイク３００との間に設けられる弾性保持体２７０を示す斜視図である。
【０２３７】
図１４に示すように、第３の実施の形態におけるガンマイク用風防４００は、主に、外側包囲体１１０と音響透過体１６０と弾性保持体２７０とからなる。
【０２３８】
＜外側包囲体１１０＞
外側包囲体１１０は、第１の実施の形態におけるガンマイク用風防１００と同様の構成及び機能を有する。外側包囲体１１０は、先端部１１２と円筒部１１４とを有する。先端部１１２及び円筒部１１４は、連続気泡を有する弾性発泡体により形成され、音響透過性を有し外部からの音を通過させることができる。
【０２３９】
外側包囲体１１０は、弾性発泡体により形成されていることから、あらゆる箇所で弾性変形できる。このため、外部から衝撃などが加えられた場合でも、弾性的な変形と復元とを繰り返すことで、衝撃を徐々に吸収することができる。外側包囲体１１０によって防振構造を構成することができる。外側包囲体１１０の防振構造により、外部から加えられた衝撃などを吸収しガンマイク３００に伝わりにくくし、雑音として収音されることを防止できる。
【０２４０】
円筒部１１４の内部には、長手方向に沿って長尺な空洞１１８が形成されている。第１の音響透過体１６０を空洞１１８に挿入することができる。円筒部１１４の弾性変形によって生ずる付勢力により、音響透過体１６０を空洞１１８の一定の位置に保持することができる。固定部材などの部材を用いることなく、第１の音響透過体１６０を外側包囲体１１０の内部の一定の位置に保持することができる。
【０２４１】
＜＜防振保持部１２０（保持体１２２及び把持部１３０）の取り付け＞＞
第３の実施の形態におけるガンマイク用風防４００でも、最外周に配置されるのは外側包囲体１１０であり、第１の実施の形態と同様に、保持体１２２及び把持部１３０を外側包囲体１１０に着脱可能に取り付けることができる。保持体１２２を外側包囲体１１０に取り付ける態様は、第１の実施の形態におけるガンマイク用風防１００と同様である（図１及び図２並びにその説明を参照）。
【０２４２】
このように、第３の実施の形態におけるガンマイク用風防４００の外側包囲体１１０にも保持体１２２を取り付けることができ、環状部材１２４を円筒部１１４に係止するようにしたことで、外側包囲体１１０を加工したり変形したりすることなく、また、外側包囲体１１０の音響特性を変更することなく、保持体１２２を外側包囲体１１０に取り付けることができる。また、着脱可能に構成しているので、持ち運びを容易にするとともに、取り扱いを簡便にできる。
【０２４３】
また、把持部１３０は、使用者の手で支持されるため、使用時に、把持部１３０に衝撃が加えられる場合もある。把持部１３０は、環状部材１２４によって外側包囲体１１０に取り付けられる。第１の実施の形態と同様に、外側包囲体１１０は、防振構造を構成し、把持部１３０に衝撃が加えられた場合でも、外側包囲体１１０によって衝撃が吸収され、ガンマイク３００に雑音として収音されることを防止できる。
【０２４４】
このように、把持部１３０は、外側包囲体１１０を介してガンマイク３００を間接的に支持ための部材であり、衝撃などがガンマイク３００に直接に伝わりにくくすることができる。
【０２４５】
＜音響透過体１６０＞
音響透過体１６０も、第１の実施の形態におけるガンマイク用風防１００と同様の構成及び機能を有する。第１の音響透過体１６０は、略薄板状の音響透過部材を円筒状に湾曲させることで形成される。音響透過部材は、接触した空気の一部の通過を妨げる。妨げることができなかった残りの空気は音響透過部材を通過する。
【０２４６】
音響透過体１６０は、細長い略円筒状の形状を有する。外側包囲体１１０の円筒部１１４を少し弾性変形させることで、音響透過体１６０を空洞１１８内に挿入でき、円筒部１１４の弾性変形で生ずる付勢力によって、円筒部１１４に係止される。
【０２４７】
音響透過体１６０の音源側の端部１６２は、音響透過部材によって塞がれている。外側包囲体１１０の先端部１１２を介して流入して空気が、第１の音響透過体１６０の内側に入り込みにくくできる。
【０２４８】
＜弾性保持体２７０＞
音響透過体１６０とガンマイク３００との間には、弾性保持体２７０が一つまたは複数配置される。弾性保持体２７０は、筒状の形状を有する。弾性保持体２７０は、弾性変形できる材料で形成される。弾性保持体２７０が変形していない状態では、弾性保持体２７０の内径がガンマイク３００の直径よりも短くなるように形成されている。弾性保持体２７０の長さは、ガンマイク３００を音響透過体１６０に安定して保持できる程度の長さであればよい。弾性保持体２７０は、例えば、外側包囲体１１０と同様の材料で形成することができる。連続気泡を有する弾性保持体２７０を形成することで、弾性保持体２７０は、音響透過性を有し、音を通過させることができるとともに、円滑に空気も移動させることができる。
【０２４９】
上述したように、弾性保持体２７０は、環状の形状を有し、ガンマイク３００の外周を周回するように弾性保持体２７０を取り付けることができる。また、弾性保持体２７０は、音響透過体１６０の長手方向に沿った一つまたは複数の位置に設けることができる。ガンマイク３００に弾性保持体２７０を取り付けた状態で、音響透過体１６０の内側に押し込むことでガンマイク３００を音響透過体１６０に収納することができる。前述したように、弾性保持体２７０は、音を通過させることができるが、ガンマイク３００のスリット３５０と重ならないように配置するのが好ましい。
【０２５０】
ガンマイク３００が音響透過体１６０に収納されると、弾性保持体２７０は弾性変形して付勢力が生ずる。生じた付勢力によってガンマイク３００は音響透過体１６０に係止される。
【０２５１】
上述したように、音響透過体１６０は、円筒部１１４の弾性変形で生ずる付勢力によって円筒部１１４に係止される。
【０２５２】
ガンマイク３００を音響透過体１６０に係止することによって、ガンマイク３００が変位することを防止して、音響透過体１６０とガンマイク３００との間で空間ＳＰ１０を安定的に形成することができる。
【０２５３】
弾性保持体２７０は、弾性変形でき、外部から衝撃が加えられた場合でも、衝撃を吸収できる。このため、ガンマイク３００に伝わりにくくし雑音として収音されること防止できる。円筒部１１４の弾性変形により、まず、衝撃を吸収し、さらに、弾性保持体２７０によって衝撃を吸収することができる。このように、衝撃を二段階で吸収することができる。
【０２５４】
＜第１の空間ＳＰ１０＞
図１７Ａ及び図１７Ｂに示すように、音響透過体１６０及びガンマイク３００は、略同心状にかつ互いに離隔するように配置されている。このため、音響透過体１６０とガンマイク３００とに挟まれた領域ができ、ガンマイク３００に設けられた一つまたは複数の弾性保持体２７０により複数に分割された空間を画定することができる。この空間は、上述した第１の空間ＳＰ１０がガンマイク３００に設けられた一つまたは複数の弾性保持体２７０により複数の空間に分割された形状であって、弾性保持体２７０が空気を円滑に流すことが可能であることにより、第１の空間ＳＰ１０として機能する。
【０２５５】
＜＜第２の空間ＳＰ２０＞＞
第１の実施の形態と同様に、外側包囲体１１０の円筒部１１４は、半径方向に厚みＴ１を有し（図１Ｂ参照）、この厚みＴ１によって第２の空間ＳＰ２０が画定される。第２の空間ＳＰ２０は、全体として略円筒状の形状を有する間隙である。第２の空間ＳＰ２０の長手方向に沿った長さは、円筒部１１４や第１の音響透過体１６０の長手方向に沿った長さによって定まる。第２の空間ＳＰ２０の側面の厚さは、円筒部１１４の半径方向の厚みＴ１（以下、第２の空間ＳＰ２０の直径方向の厚さＴ１と称する。）である。なお、第２の空間ＳＰ２０の構成及び機能は、第１の実施の形態と同様である。
【０２５６】
＜第１の空間ＳＰ１０における空気の流れ（圧力の変化）＞
図１７Ａは、第１の空間ＳＰ１０において長手方向に沿って案内される空気の流れを示す断面図である。図１７Ｂは、第１の空間ＳＰ１０において周方向（音響透過体１６０を周回する方向）に沿って案内される空気の流れを示す断面図である。
【０２５７】
第１の空間ＳＰ１０は、音響透過体１６０とガンマイク３００とに挟まれた領域であり、弾性保持体２７０が一つまたは複数存在している。第１の空間ＳＰ１０は、第２の空間ＳＰ２０とは異なり、弾性発泡体が充填されていない。なお、ガンマイク３００が使用される環境などに応じて、第１の空間ＳＰ１０にも弾性発泡体を適宜に充填してもよい。
【０２５８】
上述したように、第２の空間ＳＰ２０（弾性発泡体）は、第２の空間ＳＰ２０に入り込んだ空気を徐々に減速するための緩衝領域として機能する。しかしながら、ガンマイク３００が使用される環境によっては、空気が第１の空間ＳＰ１０にも入り込む。
【０２５９】
第１の空間ＳＰ１０は、第１の音響透過体１６０とガンマイク３００とに挟まれており、第１の空間ＳＰ１０に入り込んだ空気は、第１の音響透過体１６０との接触や弾性保持体２７０との接触によって阻まれて進行する。このように、第１の空間ＳＰ１０に入り込んだ空気は、第１の音響透過体１６０との接触や弾性保持体２７０との接触のたびに減衰しつつ第１の空間ＳＰ１０内を移動していく。
【０２６０】
第１の空間ＳＰ１０内を移動する空気は、第２の空間ＳＰ２０と同様に、第１の音響透過体１６０及ガンマイク３００の長手方向に沿って移動する成分ＬＰ１０（図１７Ａ参照）と、第１の音響透過体１６０及びガンマイク３００の周方向に沿って移動する成分ＡＰ１０（図１７Ｂ参照）とを有する。
【０２６１】
＜第１の空間ＳＰ１０における長手方向の空気の流れ＞
第１の空間ＳＰ１０は、ガンマイク３００の長手方向の長さに応じて、長手方向に延びて存在（延在）する空間である。第１の空間ＳＰ１０の長手方向の長さは、使用するガンマイク３００の外形に応じて定めることができる。たとえば、第１の空間ＳＰ１０の長手方向の長さは、ガンマイク３００の長手方向の長さと略同じであるか又は若干長くすることができ、ガンマイク３００の直径の２倍〜５倍程度の長さを加えた長さにできる。
【０２６２】
第１の空間ＳＰ１０も、空気を長手方向に流動可能にするための領域であり、第１の空間ＳＰ１０に入り込んだ空気は、長手方向に移動することができる。すなわち、第１の空間ＳＰ１０に入り込んだ空気を、第１の音響透過体１６０によって長手方向に案内しつつ、第１の音響透過体および弾性保持体２７０との接触により徐々に減速させることができる。第１の空間ＳＰ１０によって、長手方向に空気が十分に移動できる空間を確保することにより、空気を移動させつつ徐々に減速させる機会を増やすことができ、第１の空間ＳＰ１０からガンマイク３００に向かって空気が漏れ出にくくできる。
【０２６３】
このように、第１の空間ＳＰ１０も、空気が長手方向に流動できる領域が確保された空間であり、ガンマイク３００に空気が入り込みにくくするための空気の流れの緩衝領域として機能する。
【０２６４】
＜第１の空間ＳＰ１０における周方向の空気の流れ＞
第１の空間ＳＰ１０の直径方向の厚さＤ１は、ガンマイク３００の直径に応じて決定することができるが、風雑音低減という風防の基本機能と、ガンマイク３００の取り扱いのし易さとを勘案して決定する。基本的には、Ｄ１が大きいほど低音域まで風雑音を低減することができる。例えば、第１の空間ＳＰ１０の直径方向の厚さＤ１を、ガンマイク３００の直径以下にしたり、半径以下にしたりすることができる。また、第１の空間ＳＰ１０の直径方向の厚さＤ１を、ガンマイク３００の直径よりも大きくしてもよい。
【０２６５】
第１の空間ＳＰ１０は、空気の流れの緩衝領域として機能できればよく、第１の空間ＳＰ１０によって、空気が十分に移動できる空間を確保できればよい。第１の空間ＳＰ１０の長手方向の長さと、第１の空間ＳＰ１０の直径方向の厚さＤ１とのバランスによって、空気が十分に移動できる空間を定めればよい。たとえば、第１の空間ＳＰ１０の直径方向の厚さＤ１を短くしたとしても、第１の空間ＳＰ１０の長手方向の長さを長くすることで、空気が十分に移動できる空間を確保できればよい。
【０２６６】
第１の空間ＳＰ１０は、空気を周方向に沿って流動可能にするための領域であり、第１の空間ＳＰ１０に入り込んだ空気は、周方向に沿って移動することができる。第１の空間ＳＰ１０によって、周方向に空気が十分に移動できる空間を確保することにより、空気を移動させつつ徐々に減速させる機会を増やすことができ、第１の空間ＳＰ１０からガンマイク３００に向かって空気が漏れ出にくくできる。
【０２６７】
このように、第１の空間ＳＰ１０は、空気が周方向にも流動できる領域が確保された空間であり、ガンマイク３００に空気が入り込みにくくするための空気の流れの緩衝領域として機能する。
【０２６８】
＜第１の空間ＳＰ１０及び第２の空間ＳＰ２０の負圧変動の抑制＞
上述したように、ガンマイク３００のマイクロホン本体３１０に空気が流入して振動板を振動させることで、風雑音が発生する。さらに、風雑音は、このような、直接的な空気の流入だけでなく、周囲の圧力の変動によっても生ずる。
【０２６９】
ガンマイク用風防４００は、第１の空間ＳＰ１０及び第２の空間ＳＰ２０を有し、長手方向に空気を十分に移動させるとともに、移動させた空気を減速させることで、負圧変動を吸収することができる。このように、第１の空間ＳＰ１０及び第２の空間ＳＰ２０を２段階の緩衝領域として機能させることで負圧変動を段階的に抑えることができる
【０２７０】
このように、ガンマイク用風防４００は、第１の空間ＳＰ１０及び第２の空間ＳＰ２０を形成したことにより、ガンマイク３００に空気が入り込みにくくでき、空気が振動板を振動させることで生ずる風雑音を防ぐことができる。
【０２７１】
さらに、空気がガンマイク３００に入り込まない場合であってもガンマイク３００の周囲で空気が流動して生ずる負圧変動によって振動板を振動させる場合がある。このような場合でも、第１の空間ＳＰ１０及び第２の空間ＳＰ２０を形成したことにより負圧変動を抑えることができ、負圧変動による風雑音の発生も防ぐことができる。
【０２７２】
このように、第１の空間ＳＰ１０及び第２の空間ＳＰ２０により、空気の動きを遮るだけでなく、負圧変動の発生も抑えることができる。
【０２７３】
＜＜＜変更例１＞＞＞
上述した第１の実施の形態においても第２の実施の形態においても防振保持部１２０を外側包囲体１１０に係止させるものであった。すなわち、最外周体を構成する外側包囲体１１０に防振保持部１２０を係止させるものであった。
【０２７４】
この外側包囲体１１０の全体又は周面を覆う第３の音響透過体を設け、第３の音響透過体を最外周体として、第３の音響透過体に防振保持部１２０を係止させるようにしてもよい。第３の音響透過体は、細長い略円筒状の形状を有する。第３の音響透過体の直径は、外側包囲体１１０の直径よりも若干大きい。第３の音響透過体の長手方向の長さは、外側包囲体１１０の長手方向の長さよりも長い。第３の音響透過体の音源側の端部を音響透過部材で塞いでもよい。外側包囲体１１０の先端部１１２への空気の流入を妨げることができる。
【０２７５】
第３の音響透過体も、第１の音響透過体１６０及び第２の音響透過体２６０と同様に、略薄板状の音響透過部材を円筒状に湾曲させることで形成される。音響透過部材は、接触した空気の一部の通過を妨げる。また、金属繊維材料を焼結した音響透過部材を用いることで防水性を高めることができる。
【０２７６】
防振保持部１２０の環状部材１２４は、第３の音響透過体の表面の形状や性質に合わせて掛合しやすいものにすればよい。例えば、第３の音響透過体の表面と接する箇所の環状部材１２４の粗さが、第３の音響透過体の材料や粗さに応じて適宜に定めたものが好ましい。特に、第３の音響透過体のクッション性に応じて環状部材１２４を定めるのがよい。このように定めることで、環状部材１２４を第３の音響透過体の表面と掛合させやくしつつ、掛合により第３の音響透過体や円筒部１１４が破損しないようにできる。
【０２７７】
さらに、外側包囲体１１０の全体又は周面を覆う第３の音響透過体を設けることで外側包囲体１１０を保護することができる。上述したように、金属繊維材料を焼結した音響透過部材は防水性が高く、外側包囲体１１０を湿気などの水分から守ることができる。すなわち、雨などの湿気が高い環境でガンマイク用風防１００及び２００を使用した場合でも、第３の音響透過体で外側包囲体１１０を覆い第３の音響透過体を最外周体とすることで外側包囲体１１０の特性を維持することができる。
【０２７８】
＜＜＜変更例２＞＞＞
上述した外側包囲体１１０の外表面全体を完全に覆うシート状風防包囲体１８０を設け、最外周体とすることができる。外側包囲体１１０を物理的な衝撃から保護し、日光などの紫外線や湿気などの水分から守ることで経時的な劣化を防止することができる。また、風防内への空気の流入を妨げることができ、塵埃の進入やノイズの発生を抑制できる。
【０２７９】
シート状風防包囲体１８０の材質は特に限定しないが、対候性および音響透過性の優れた材質が好ましく、例えば上述した音響透過シートが好適であり、金属繊維シートやフッ素繊維シートなどの繊維シートを用いた音響透過シートがより好適である。
【０２８０】
シート状風防包囲体１８０の厚さは特に限定しないが、厚いとシート状風防包囲体１８０の固定や封止が困難になり、薄いと物理的強度が弱くなる。シート状風防包囲体１８０は、外側包囲体１１０の外表面を覆うために変形できる程度に可撓性を有するものが好ましい。
【０２８１】
シート状風防包囲体１８０の形状は、外側包囲体１１０の外表面全体を完全に覆うことができればよく、特に限定しない。シート状風防包囲体１８０は、外側包囲体１１０の形状に合わせた細長い略円筒状の形状であり、袋状の形態にできるものが好ましい。
【０２８２】
シート状風防包囲体１８０はガンマイク用風防１００を内包させたあと、その開口部１８１を閉じることができる。閉じる方法は特に限定しないが、縫合による方法や接着剤による方法が挙げられる。
【０２８３】
シート状風防包囲体１８０を外側包囲体１１０に固定する方法は特に限定されず、外側包囲体１１０とシート状包囲体１８０に接着剤を用いる接合方法や防振保持部１２０の環状部材１２４による外側からの締付けによる方法などが挙げられる。
【０２８４】
外側包囲体１１０とシート状風防包囲体１８０の固定は、外側包囲体１１０とシート状風防包囲体１８０を密着させて固定してもよく、外側包囲体１１０とシート状風防包囲体１８０の間に空間を設けて固定してもよい。この空間は空気が外側包囲体１１０の長手方向に流動できる領域が確保された空間であり、ガンマイク３００に空気が入り込みにくくするための空気の流れの緩衝領域として機能する。
【０２８５】
図１９に示したように上述のシート状風防包囲体１８０を設けた場合に、防振保持部１２０の環状部材１２４は、シート状風防包囲体の表面に把持すればよく、シート状風防包囲体１８０の形状や性質に合わせて把持しやすいものにすればよい。例えば、シート状風防包囲体１８０の表面と接する箇所の環状部材１２４の粗さが、シート状風防包囲体の材料や粗さに応じて適宜に定めたものが好ましい。特に、最外周体のクッション性に応じて環状部材１２４を定めるのがよい。このように定めることで、環状部材１２４をシート状風防包囲体の表面と把持させやすくしつつ、把持により外側包囲体１１０や円筒部１１４が破損しないようにできる。
【符号の説明】
【０２８６】
１００  ガンマイク用風防（ガンマイク用風防１０）
１１０  外側包囲体（第２の被覆体１１）
１２０  防振保持部（保持部１２）
１２４  環状部材（表面係合部）
１３０  把持部
１４０  マイク保持部（マイク保持体１４）
１５８  保持部材（保持部材１８）
１６０  第１の音響透過体（第１の被覆体１６）
１７０  終端蓋体
１８０  シート状風防包囲体
２００  ガンマイク用風防（ガンマイク用風防２０）
２４０  弾性保持体（保持部材２４）
２６０  第２の音響透過体（第３の被覆体２６）
２７０  弾性保持体
３００  ガンマイク（ガンマイク３０）
４００  ガンマイク用風防
ＳＰ１０  第１の空間（第１の空間ＳＰ１）
ＳＰ２０  第２の空間（第２の空間ＳＰ２）
ＳＰ３０  第３の空間（第３の空間ＳＰ３）
【図１】
2017169213.tif 000003
【図２】
2017169213.tif 000004
【図３】
2017169213.tif 000005
【図４】
2017169213.tif 000006
【図５】
2017169213.tif 000007
【図６】
2017169213.tif 000008
【図７】
2017169213.tif 000009
【図８】
2017169213.tif 000010
【図９】
2017169213.tif 000011
【図１０】
2017169213.tif 000012
【図１１】
2017169213.tif 000013
【図１２】
2017169213.tif 000014
【図１３】
2017169213.tif 000015
【図１４】
2017169213.tif 000016
【図１５】
2017169213.tif 000017
【図１６】
2017169213.tif 000018
【図１７】
2017169213.tif 000019
【図１８】
2017169213.tif 000020
【図１９】
2017169213.tif 000021
【国際調査報告】
2017169213.tif 000022
2017169213.tif 000023
2017169213.tif 000024
2017169213.tif 000025